(57)【要約】【課題】本発明は、コネクターアセンブリを提供する。【解決手段】本発明のコネクターアセンブリは、ジャンパーボード及び第一、第二ＰＣＩ  Ｅｘｐｒｅｓｓコネクターを備え、第一、第二ＰＣＩ  Ｅｘｐｒｅｓｓコネクターの第一組ピンは、全てチップに接続されてチップからの信号を受信し、第一、第二ＰＣＩ  Ｅｘｐｒｅｓｓコネクターの第二組ピンは互いに対応して接続され、ジャンパーボードの一端には、互いに対応して接続される第一組金メッキ端子及び第二組金メッキ端子が設置され、ジャンパーボードは第一ＰＣＩ  Ｅｘｐｒｅｓｓコネクターに差し込まれ、ジャンパーボードの第一組金メッキ端子及び第二組金メッキ端子は、第一ＰＣＩ  Ｅｘｐｒｅｓｓコネクターの第一組ピン及び第二組ピンに電気的に接続されて、第一ＰＣＩ  Ｅｘｐｒｅｓｓコネクターの第一組ピンの信号は第一ＰＣＩ  Ｅｘｐｒｅｓｓコネクターの第二組ピンに送信される。【選択図】図３
2013025796.tif 000002
【特許請求の範囲】
【請求項１】
ジャンパーボードと、電気回路基板に設置される第一ＰＣＩ  Ｅｘｐｒｅｓｓコネクター及び第二ＰＣＩ  Ｅｘｐｒｅｓｓコネクターと、を備えてなるコネクターアセンブリであって、
前記第一ＰＣＩ  Ｅｘｐｒｅｓｓコネクターの第一組ピン及び前記第二ＰＣＩ  Ｅｘｐｒｅｓｓコネクターの第一組ピンは、チップに接続されて前記チップからの信号を受信し、前記第一ＰＣＩ  Ｅｘｐｒｅｓｓコネクターの第二組ピンは、前記第二ＰＣＩ  Ｅｘｐｒｅｓｓコネクターの第二組ピンに対応して接続され、
前記ジャンパーボードは電気回路基板を備え、その一端には第一組金メッキ端子及び第二組金メッキ端子が設置され、前記第一組金メッキ端子は、前記第二組金メッキ端子に対応して電気的に接続され、
前記ジャンパーボードは前記第一ＰＣＩ  Ｅｘｐｒｅｓｓコネクターに差し込まれ、前記ジャンパーボードの前記第一組金メッキ端子は、前記第一ＰＣＩ  Ｅｘｐｒｅｓｓコネクターの前記第一組ピンに電気的に接続され、前記ジャンパーボードの前記第二組金メッキ端子は、前記第一ＰＣＩ  Ｅｘｐｒｅｓｓコネクターの前記第二組ピンに電気的に接続されて、前記第一ＰＣＩ  Ｅｘｐｒｅｓｓコネクターの前記第一組ピンの信号を前記第一ＰＣＩ  Ｅｘｐｒｅｓｓコネクターの前記第二組ピンに送信して、前記第一ＰＣＩ  Ｅｘｐｒｅｓｓコネクターの前記第二組ピンの信号を前記第二ＰＣＩ  Ｅｘｐｒｅｓｓコネクターの前記第二組ピンに送信するようにすることを特徴とするコネクターアセンブリ。
【請求項２】
前記第一ＰＣＩ  Ｅｘｐｒｅｓｓコネクター及び前記第二ＰＣＩ  Ｅｘｐｒｅｓｓコネクターは、全てＰＣＩ  Ｅｘｐｒｅｓｓ×１６コネクターであり、
前記第一ＰＣＩ  Ｅｘｐｒｅｓｓコネクターの前記第一組ピンは、第一面の第１〜第４９のピン及び第二面の第１〜第４９のピンを備え、前記第一ＰＣＩ  Ｅｘｐｒｅｓｓコネクターの前記第二組ピンは、第一面の第５０〜第８２のピン及び第二面の第５０〜第８２のピンを備え、
前記第二ＰＣＩ  Ｅｘｐｒｅｓｓコネクターの前記第一組ピンは、第一面の第１〜第４９のピン及び第二面の第１〜第４９のピンを備え、前記第二ＰＣＩ  Ｅｘｐｒｅｓｓコネクターの前記第二組ピンは、第一面の第５０〜第８２のピン及び第二面の第５０〜第８２のピンを備え、
前記ジャンパーボードの前記第一組金メッキ端子は、第一面の第１〜第３６のピン及び第二面の第１〜第３６のピンを備え、前記ジャンパーボードの前記第二組金メッキ端子は、第一面の第３７〜第６９のピン及び第二面の第３７〜第６９のピンを備え、
前記ジャンパーボードの前記第一組金メッキ端子は前記第二組金メッキ端子に対応して電気的に接続されて、前記ジャンパーボードを前記第一ＰＣＩ  Ｅｘｐｒｅｓｓコネクターに差し込む場合、前記第一ＰＣＩ  Ｅｘｐｒｅｓｓコネクターの前記第一組ピンに対応して接続される前記ジャンパーボードの前記第一組金メッキ端子の信号は、前記ジャンパーボードの前記第二組金メッキ端子に送信され、続いて前記ジャンパーボードの前記第二組金メッキ端子に接続される前記第一ＰＣＩ  Ｅｘｐｒｅｓｓコネクターの前記第二組ピンに送信されることを特徴とする請求項１に記載のコネクターアセンブリ。
【請求項３】
前記第一ＰＣＩ  Ｅｘｐｒｅｓｓコネクター及び前記第二ＰＣＩ  Ｅｘｐｒｅｓｓコネクターは、全てＰＣＩ  Ｅｘｐｒｅｓｓ×１６コネクターであり、
前記第一ＰＣＩ  Ｅｘｐｒｅｓｓコネクターの前記第一組ピンは、第一面の第１〜第４９のピン及び第二面の第１〜第４９のピンを備え、前記第一ＰＣＩ  Ｅｘｐｒｅｓｓコネクターの前記第二組ピンは、第一面の第５０〜第８２のピン及び第二面の第５０〜第８２のピンを備え、
前記第二ＰＣＩ  Ｅｘｐｒｅｓｓコネクターの前記第一組ピンは、第一面の第１〜第４９のピン及び第二面の第１〜第４９のピンを備え、前記第二ＰＣＩ  Ｅｘｐｒｅｓｓコネクターの前記第二組ピンは、第一面の第５０〜第８２のピン及び第二面の第５０〜第８２のピンを備え、
前記ジャンパーボードの前記第一組金メッキ端子は、第一面の第１〜第１７のピン及び第二面の第１〜第１７のピンを備え、前記ジャンパーボードの前記第二組金メッキ端子は、第一面の第１８〜第３４のピン及び第二面の第１８〜第３４のピンを備え、
前記ジャンパーボードの前記第一組金メッキ端子は前記第二組金メッキ端子に対応して電気的に接続されて、前記ジャンパーボードを前記第一ＰＣＩ  Ｅｘｐｒｅｓｓコネクターに差し込む場合、前記第一ＰＣＩ  Ｅｘｐｒｅｓｓコネクターの前記第一組ピンに対応して接続される前記ジャンパーボードの前記第一組金メッキ端子の信号は、前記ジャンパーボードの前記第二組金メッキ端子に送信され、続いて前記ジャンパーボードの前記第二組金メッキ端子に接続される前記第一ＰＣＩ  Ｅｘｐｒｅｓｓコネクターの前記第二組ピンに送信されることを特徴とする請求項１に記載のコネクターアセンブリ。
【請求項４】
前記ジャンパーボードには、フールプルーフ装置が設置され、前記フールプルーフ装置は、前記ジャンパーボードの対向する両側に設置される第一フールプルーフ部材及び第二フールプルーフ部材を備え、前記第一フールプルーフ部材の底部及び前記第二フールプルーフ部材の底部から前記ジャンパーボードの金メッキ端子が設置されている側辺までの距離は異なることを特徴とする請求項１から３のいずれか一項に記載のコネクターアセンブリ。
【請求項５】
第一ＰＣＩ  Ｅｘｐｒｅｓｓコネクターと、第二ＰＣＩ  Ｅｘｐｒｅｓｓコネクターと、第三ＰＣＩ  Ｅｘｐｒｅｓｓコネクターと、ジャンパーボードと、拡張ボードと、を備えてなるコネクターアセンブリであって、
前記第一ＰＣＩ  Ｅｘｐｒｅｓｓコネクター及び前記第二ＰＣＩ  Ｅｘｐｒｅｓｓコネクターは、全て電気回路基板に設置され、前記第一ＰＣＩ  Ｅｘｐｒｅｓｓコネクターの第一組ピン及び前記第二ＰＣＩ  Ｅｘｐｒｅｓｓコネクターの第一組ピンは、チップに接続されて前記チップからの信号を受信し、前記第一ＰＣＩ  Ｅｘｐｒｅｓｓコネクターの第二組ピンは、前記第二ＰＣＩ  Ｅｘｐｒｅｓｓコネクターの第二組ピンに対応して接続され、
前記ジャンパーボードは電気回路基板を備え、その一端には第一組金メッキ端子及び第二組金メッキ端子が設置され、前記第一組金メッキ端子は、前記第二組金メッキ端子に対応して電気的に接続され、
前記ジャンパーボードは前記第一ＰＣＩ  Ｅｘｐｒｅｓｓコネクターに差し込まれ、前記ジャンパーボードの前記第一組金メッキ端子は、前記第一ＰＣＩ  Ｅｘｐｒｅｓｓコネクターの前記第一組ピンに電気的に接続され、前記ジャンパーボードの前記第二組金メッキ端子は、前記第一ＰＣＩ  Ｅｘｐｒｅｓｓコネクターの前記第二組ピンに電気的に接続されて、前記第一ＰＣＩ  Ｅｘｐｒｅｓｓコネクターの前記第一組ピンの信号を前記第一ＰＣＩ  Ｅｘｐｒｅｓｓコネクターの前記第二組ピンに送信して、従って前記第一ＰＣＩ  Ｅｘｐｒｅｓｓコネクターの前記第二組ピンの信号を前記第二ＰＣＩ  Ｅｘｐｒｅｓｓコネクターの前記第二組ピンに送信し、
前記拡張ボードは電気回路基板を備え、その一端には複数の金メッキ端子が設置され、前記拡張ボードは前記第二ＰＣＩ  Ｅｘｐｒｅｓｓコネクターに差し込まれ、前記拡張ボードの複数の前記金メッキ端子は、前記第二ＰＣＩ  Ｅｘｐｒｅｓｓコネクターの前記第一組ピン及び前記第二組ピンに電気的に接続され、前記第三ＰＣＩ  Ｅｘｐｒｅｓｓコネクターは、前記拡張ボードに設置され、前記第三ＰＣＩ  Ｅｘｐｒｅｓｓコネクターのピンは、前記拡張ボードの金メッキ端子に対応して電気的に接続されて、前記第二ＰＣＩ  Ｅｘｐｒｅｓｓコネクターの前記第一組ピン及び前記第二組ピンが受信した前記チップからの信号を受信することを特徴とするコネクターアセンブリ。
【請求項６】
前記第一ＰＣＩ  Ｅｘｐｒｅｓｓコネクター、前記第二ＰＣＩ  Ｅｘｐｒｅｓｓコネクター及び前記第三ＰＣＩ  Ｅｘｐｒｅｓｓコネクターは、全てＰＣＩ  Ｅｘｐｒｅｓｓ×１６コネクターであり、
前記第一ＰＣＩ  Ｅｘｐｒｅｓｓコネクターの前記第一組ピンは、第一面の第１〜第４９のピン及び第二面の第１〜第４９のピンを備え、前記第一ＰＣＩ  Ｅｘｐｒｅｓｓコネクターの前記第二組ピンは、第一面の第５０〜第８２のピン及び第二面の第５０〜第８２のピンを備え、
前記第二ＰＣＩ  Ｅｘｐｒｅｓｓコネクターの前記第一組ピンは、第一面の第１〜第４９のピン及び第二面の第１〜第４９のピンを備え、前記第二ＰＣＩ  Ｅｘｐｒｅｓｓコネクターの前記第二組ピンは、第一面の第５０〜第８２のピン及び第二面の第５０〜第８２のピンを備え、
前記ジャンパーボードの前記第一組金メッキ端子は、第一面の第１〜第３６のピン及び第二面の第１〜第３６のピンを備え、前記ジャンパーボードの前記第二組金メッキ端子は、第一面の第３７〜第６９のピン及び第二面の第３７〜第６９のピンを備え、
前記ジャンパーボードの前記第一組金メッキ端子は前記第二組金メッキ端子に対応して電気的に接続されて、前記ジャンパーボードを前記第一ＰＣＩ  Ｅｘｐｒｅｓｓコネクターに差し込む場合、前記第一ＰＣＩ  Ｅｘｐｒｅｓｓコネクターの前記第一組ピンに対応して接続される前記ジャンパーボードの前記第一組金メッキ端子の信号は、前記ジャンパーボードの前記第二組金メッキ端子に送信され、続いて前記ジャンパーボードの前記第二組金メッキ端子に接続される前記第一ＰＣＩ  Ｅｘｐｒｅｓｓコネクターの前記第二組ピンに送信されることを特徴とする請求項５に記載のコネクターアセンブリ。
【請求項７】
前記第一ＰＣＩ  Ｅｘｐｒｅｓｓコネクター、前記第二ＰＣＩ  Ｅｘｐｒｅｓｓコネクター及び前記第三ＰＣＩ  Ｅｘｐｒｅｓｓコネクターは、全てＰＣＩ  Ｅｘｐｒｅｓｓ×１６コネクターであり、
前記第一ＰＣＩ  Ｅｘｐｒｅｓｓコネクターの前記第一組ピンは、第一面の第１〜第４９のピン及び第二面の第１〜第４９のピンを備え、前記第一ＰＣＩ  Ｅｘｐｒｅｓｓコネクターの前記第二組ピンは、第一面の第５０〜第８２のピン及び第二面の第５０〜第８２のピンを備え、
前記第二ＰＣＩ  Ｅｘｐｒｅｓｓコネクターの前記第一組ピンは、第一面の第１〜第４９のピン及び第二面の第１〜第４９のピンを備え、前記第二ＰＣＩ  Ｅｘｐｒｅｓｓコネクターの前記第二組ピンは、第一面の第５０〜第８２のピン及び第二面の第５０〜第８２のピンを備え、
前記ジャンパーボードの前記第一組金メッキ端子は、第一面の第１〜第１７のピン及び第二面の第１〜第１７のピンを備え、前記ジャンパーボードの前記第二組金メッキ端子は、第一面の第１８〜第３４のピン及び第二面の第１８〜第３４のピンを備え、
前記ジャンパーボードの前記第一組金メッキ端子は第二組金メッキ端子に対応して電気的に接続されて、前記ジャンパーボードを前記第一ＰＣＩ  Ｅｘｐｒｅｓｓコネクターに差し込む場合、前記第一ＰＣＩ  Ｅｘｐｒｅｓｓコネクターの前記第一組ピンに対応して接続される前記ジャンパーボードの前記第一組金メッキ端子の信号は、前記ジャンパーボードの前記第二組金メッキ端子に送信され、続いて前記ジャンパーボードの前記第二組金メッキ端子に接続される前記第一ＰＣＩ  Ｅｘｐｒｅｓｓコネクターの前記第二組ピンに送信されることを特徴とする請求項５に記載のコネクターアセンブリ。
【請求項８】
第一ＰＣＩ  Ｅｘｐｒｅｓｓコネクターと、第二ＰＣＩ  Ｅｘｐｒｅｓｓコネクターと、第三ＰＣＩ  Ｅｘｐｒｅｓｓコネクターと、第四ＰＣＩ  Ｅｘｐｒｅｓｓコネクターと、第五ＰＣＩ  Ｅｘｐｒｅｓｓコネクターと、ジャンパーボードと、拡張ボードと、を備えてなるコネクターアセンブリであって、
前記第一ＰＣＩ  Ｅｘｐｒｅｓｓコネクター、前記第二ＰＣＩ  Ｅｘｐｒｅｓｓコネクター及び前記第三ＰＣＩ  Ｅｘｐｒｅｓｓコネクターは、全て電気回路基板に設置され、前記第四ＰＣＩ  Ｅｘｐｒｅｓｓコネクター及び前記第五ＰＣＩ  Ｅｘｐｒｅｓｓコネクターは、全て前記拡張ボードに設置され、前記第一ＰＣＩ  Ｅｘｐｒｅｓｓコネクターの第一組ピン及び前記第二ＰＣＩ  Ｅｘｐｒｅｓｓコネクターの第一組ピンは、チップに接続されて前記チップからの信号を受信し、前記第一ＰＣＩ  Ｅｘｐｒｅｓｓコネクターの前記第一組ピンは、前記第三ＰＣＩ  Ｅｘｐｒｅｓｓコネクターのピンに対応して接続されて、前記第一ＰＣＩ  Ｅｘｐｒｅｓｓコネクターが受信した前記チップからの信号を前記第三ＰＣＩ  Ｅｘｐｒｅｓｓコネクターに送信し、
前記拡張ボードは前記第二ＰＣＩ  Ｅｘｐｒｅｓｓコネクター及び前記第三ＰＣＩ  Ｅｘｐｒｅｓｓコネクターに差し込まれて、前記第二ＰＣＩ  Ｅｘｐｒｅｓｓコネクター及び前記第三ＰＣＩ  Ｅｘｐｒｅｓｓコネクターが受信した前記チップからの信号を前記第四ＰＣＩ  Ｅｘｐｒｅｓｓコネクター及び前記第五ＰＣＩ  Ｅｘｐｒｅｓｓコネクターに送信し、
前記ジャンパーボードは電気回路基板を備え、その一端には第一組金メッキ端子及び第二組金メッキ端子が設置され、前記第一組金メッキ端子は、前記第二組金メッキ端子に対応して電気的に接続され、前記ジャンパーボードは前記第四ＰＣＩ  Ｅｘｐｒｅｓｓコネクターに差し込まれ、前記ジャンパーボードの前記第一組金メッキ端子は、前記第四ＰＣＩ  Ｅｘｐｒｅｓｓコネクターの第一組ピンに電気的に接続され、前記ジャンパーボードの前記第二組金メッキ端子は、前記第四ＰＣＩ  Ｅｘｐｒｅｓｓコネクターの第二組ピンに電気的に接続されて、前記第四ＰＣＩ  Ｅｘｐｒｅｓｓコネクターの前記第一組ピンの信号を前記第四ＰＣＩ  Ｅｘｐｒｅｓｓコネクターの前記第二組ピンに送信して、前記第四ＰＣＩ  Ｅｘｐｒｅｓｓコネクターの前記第二組ピンの信号を前記第五ＰＣＩ  Ｅｘｐｒｅｓｓコネクターの第二組ピンに送信することを特徴とするコネクターアセンブリ。
【請求項９】
前記第一ＰＣＩ  Ｅｘｐｒｅｓｓコネクター、前記第二ＰＣＩ  Ｅｘｐｒｅｓｓコネクター、前記第四ＰＣＩ  Ｅｘｐｒｅｓｓコネクター及び前記第五ＰＣＩ  Ｅｘｐｒｅｓｓコネクターは、全てＰＣＩ  Ｅｘｐｒｅｓｓ×１６コネクターであり、前記第三ＰＣＩ  Ｅｘｐｒｅｓｓコネクターは、ＰＣＩ  Ｅｘｐｒｅｓｓ×８コネクターであり、
前記第四ＰＣＩ  Ｅｘｐｒｅｓｓコネクターの前記第一組ピンは、第一面の第１〜第４９のピン及び第二面の第１〜第４９のピンを備え、前記第四ＰＣＩ  Ｅｘｐｒｅｓｓコネクターの前記第二組ピンは、第一面の第５０〜第８２のピン及び第二面の第５０〜第８２のピンを備え、
前記第五ＰＣＩ  Ｅｘｐｒｅｓｓコネクターの第一組ピンは、第一面の第１〜第４９のピン及び第二面の第１〜第４９のピンを備え、前記第五ＰＣＩ  Ｅｘｐｒｅｓｓコネクターの前記第二組ピンは、第一面の第５０〜第８２のピン及び第二面の第５０〜第８２のピンを備え、
前記ジャンパーボードの前記第一組金メッキ端子は、第一面の第１〜第３６のピン及び第二面の第１〜第３６のピンを備え、前記ジャンパーボードの前記第二組金メッキ端子は、第一面の第３７〜第６９のピン及び第二面の第３７〜第６９のピンを備え、
前記ジャンパーボードの前記第一組金メッキ端子は前記第二組金メッキ端子に対応して電気的に接続されて、前記ジャンパーボードを前記第四ＰＣＩ  Ｅｘｐｒｅｓｓコネクターに差し込む場合、前記第四ＰＣＩ  Ｅｘｐｒｅｓｓコネクターの前記第一組ピンに対応して接続される前記ジャンパーボードの前記第一組金メッキ端子の信号は、前記ジャンパーボードの前記第二組金メッキ端子に送信され、続いて前記ジャンパーボードの前記第二組金メッキ端子に接続される前記第四ＰＣＩ  Ｅｘｐｒｅｓｓコネクターの前記第二組ピンに送信されることを特徴とする請求項８に記載のコネクターアセンブリ。
【請求項１０】
前記第一ＰＣＩ  Ｅｘｐｒｅｓｓコネクター、前記第二ＰＣＩ  Ｅｘｐｒｅｓｓコネクター、前記第四ＰＣＩ  Ｅｘｐｒｅｓｓコネクター及び前記第五ＰＣＩ  Ｅｘｐｒｅｓｓコネクターは、全てＰＣＩ  Ｅｘｐｒｅｓｓ×１６コネクターであり、前記第三ＰＣＩ  Ｅｘｐｒｅｓｓコネクターは、ＰＣＩ  Ｅｘｐｒｅｓｓ×８コネクターであり、
前記第四ＰＣＩ  Ｅｘｐｒｅｓｓコネクターの前記第一組ピンは、第一面の第１〜第４９のピン及び第二面の第１〜第４９のピンを備え、前記第四ＰＣＩ  Ｅｘｐｒｅｓｓコネクターの前記第二組ピンは、第一面の第５０〜第８２のピン及び第二面の第５０〜第８２のピンを備え、
前記第五ＰＣＩ  Ｅｘｐｒｅｓｓコネクターの第一組ピンは、第一面の第１〜第４９のピン及び第二面の第１〜第４９のピンを備え、前記第五ＰＣＩ  Ｅｘｐｒｅｓｓコネクターの前記第二組ピンは、第一面の第５０〜第８２のピン及び第二面の第５０〜第８２のピンを備え、
前記ジャンパーボードの前記第一組金メッキ端子は、第一面の第１〜第１７のピン及び第二面の第１〜第１７のピンを備え、前記ジャンパーボードの前記第二組金メッキ端子は、第一面の第１８〜第３４のピン及び第二面の第１８〜第３４のピンを備え、
前記ジャンパーボードの前記第一組金メッキ端子は前記第二組金メッキ端子に対応して電気的に接続されて、前記ジャンパーボードを前記第四ＰＣＩ  Ｅｘｐｒｅｓｓコネクターに差し込む場合、前記第四ＰＣＩ  Ｅｘｐｒｅｓｓコネクターの前記第一組ピンに対応して接続される前記ジャンパーボードの前記第一組金メッキ端子の信号は、前記ジャンパーボードの前記第二組金メッキ端子に送信され、続いて前記ジャンパーボードの前記第二組金メッキ端子に接続される前記第四ＰＣＩ  Ｅｘｐｒｅｓｓコネクターの前記第二組ピンに送信されることを特徴とする請求項８に記載のコネクターアセンブリ。
【請求項１１】
第一ＰＣＩ  Ｅｘｐｒｅｓｓコネクターと、第二ＰＣＩ  Ｅｘｐｒｅｓｓコネクターと、第三ＰＣＩ  Ｅｘｐｒｅｓｓコネクターと、ジャンパーボードと、拡張ボードと、を備えてなるコネクターアセンブリであって、
前記第一ＰＣＩ  Ｅｘｐｒｅｓｓコネクターは電気回路基板に設置され、前記第一ＰＣＩ  Ｅｘｐｒｅｓｓコネクターのピンは、チップに接続されて前記チップからの信号を受信し、
前記拡張ボードは電気回路基板を備え、その一端には複数の金メッキ端子が設置され、前記拡張ボードは前記第一ＰＣＩ  Ｅｘｐｒｅｓｓコネクターに差し込まれて、前記第一ＰＣＩ  Ｅｘｐｒｅｓｓコネクターが受信した前記チップからの信号を前記拡張ボードに設置された前記第二ＰＣＩ  Ｅｘｐｒｅｓｓコネクター及び前記第三ＰＣＩ  Ｅｘｐｒｅｓｓコネクターの第一組ピンに送信し、
前記ジャンパーボードは電気回路基板を備え、その一端には第一組金メッキ端子及び第二組金メッキ端子が設置され、前記第一組金メッキ端子は、前記第二組金メッキ端子に対応して電気的に接続され、
前記ジャンパーボードは前記第二ＰＣＩ  Ｅｘｐｒｅｓｓコネクターに差し込まれ、前記ジャンパーボードの前記第一組金メッキ端子は、前記第二ＰＣＩ  Ｅｘｐｒｅｓｓコネクターの第一組ピンに電気的に接続され、前記ジャンパーボードの前記第二組金メッキ端子は、前記第二ＰＣＩ  Ｅｘｐｒｅｓｓコネクターの第二組ピンに電気的に接続されて、前記第二ＰＣＩ  Ｅｘｐｒｅｓｓコネクターの前記第一組ピンの信号を前記第二ＰＣＩ  Ｅｘｐｒｅｓｓコネクターの第二組ピンに送信して、前記第二ＰＣＩ  Ｅｘｐｒｅｓｓコネクターの前記第二組ピンの信号を前記第三ＰＣＩ  Ｅｘｐｒｅｓｓコネクターの第二組ピンに送信することを特徴とするコネクターアセンブリ。
【請求項１２】
前記第一ＰＣＩ  Ｅｘｐｒｅｓｓコネクター、前記第二ＰＣＩ  Ｅｘｐｒｅｓｓコネクター及び前記第三ＰＣＩ  Ｅｘｐｒｅｓｓコネクターは、全てＰＣＩ  Ｅｘｐｒｅｓｓ×１６コネクターであり、
前記第二ＰＣＩ  Ｅｘｐｒｅｓｓコネクターの前記第一組ピンは、第一面の第１〜第４９のピン及び第二面の第１〜第４９のピンを備え、前記第二ＰＣＩ  Ｅｘｐｒｅｓｓコネクターの前記第二組ピンは、第一面の第５０〜第８２のピン及び第二面の第５０〜第８２のピンを備え、
前記第三ＰＣＩ  Ｅｘｐｒｅｓｓコネクターの第一組ピンは、第一面の第１〜第４９のピン及び第二面の第１〜第４９のピンを備え、前記第三ＰＣＩ  Ｅｘｐｒｅｓｓコネクターの前記第二組ピンは、第一面の第５０〜第８２のピン及び第二面の第５０〜第８２のピンを備え、
前記ジャンパーボードの前記第一組金メッキ端子は、第一面の第１〜第３６のピン及び第二面の第１〜第３６のピンを備え、前記ジャンパーボードの前記第二組金メッキ端子は、第一面の第３７〜第６９のピン及び第二面の第３７〜第６９のピンを備え、
前記ジャンパーボードの前記第一組金メッキ端子は前記第二組金メッキ端子に対応して電気的に接続されて、前記ジャンパーボードを前記第二ＰＣＩ  Ｅｘｐｒｅｓｓコネクターに差し込む場合、前記第二ＰＣＩ  Ｅｘｐｒｅｓｓコネクターの前記第一組ピンに対応して接続される前記ジャンパーボードの前記第一組金メッキ端子の信号は、前記ジャンパーボードの前記第二組金メッキ端子に送信され、続いて前記ジャンパーボードの前記第二組金メッキ端子に接続される前記第二ＰＣＩ  Ｅｘｐｒｅｓｓコネクターの前記第二組ピンに送信されることを特徴とする請求項１１に記載のコネクターアセンブリ。
【請求項１３】
前記第一ＰＣＩ  Ｅｘｐｒｅｓｓコネクター、前記第二ＰＣＩ  Ｅｘｐｒｅｓｓコネクター及び前記第三ＰＣＩ  Ｅｘｐｒｅｓｓコネクターは、全てＰＣＩ  Ｅｘｐｒｅｓｓ×１６コネクターであり、
前記第二ＰＣＩ  Ｅｘｐｒｅｓｓコネクターの前記第一組ピンは、第一面の第１〜第４９のピン及び第二面の第１〜第４９のピンを備え、前記第二ＰＣＩ  Ｅｘｐｒｅｓｓコネクターの前記第二組ピンは、第一面の第５０〜第８２のピン及び第二面の第５０〜第８２のピンを備え、
前記第三ＰＣＩ  Ｅｘｐｒｅｓｓコネクターの第一組ピンは、第一面の第１〜第４９のピン及び第二面の第１〜第４９のピンを備え、前記第三ＰＣＩ  Ｅｘｐｒｅｓｓコネクターの前記第二組ピンは、第一面の第５０〜第８２のピン及び第二面の第５０〜第８２のピンを備え、
前記ジャンパーボードの前記第一組金メッキ端子は、第一面の第１〜第１７のピン及び第二面の第１〜第１７のピンを備え、前記ジャンパーボードの前記第二組金メッキ端子は、第一面の第１８〜第３４のピン及び第二面の第１８〜第３４のピンを備え、
前記ジャンパーボードの前記第一組金メッキ端子は前記第二組金メッキ端子に対応して電気的に接続されて、前記ジャンパーボードを前記第二ＰＣＩ  Ｅｘｐｒｅｓｓコネクターに差し込む場合、前記第二ＰＣＩ  Ｅｘｐｒｅｓｓコネクターの前記第一組ピンに対応して接続される前記ジャンパーボードの前記第一組金メッキ端子の信号は、前記ジャンパーボードの前記第二組金メッキ端子に送信され、続いて前記ジャンパーボードの前記第二組金メッキ端子に接続される前記第二ＰＣＩ  Ｅｘｐｒｅｓｓコネクターの前記第二組ピンに送信されることを特徴とする請求項１１に記載のコネクターアセンブリ。
【請求項１４】
第一ＰＣＩ  Ｅｘｐｒｅｓｓコネクターと、第二ＰＣＩ  Ｅｘｐｒｅｓｓコネクターと、第三ＰＣＩ  Ｅｘｐｒｅｓｓコネクターと、第一ジャンパーボードと、第二ジャンパーボードと、を備えてなるコネクターアセンブリであって、
前記第一ＰＣＩ  Ｅｘｐｒｅｓｓコネクター、前記第二ＰＣＩ  Ｅｘｐｒｅｓｓコネクター及び前記第三ＰＣＩ  Ｅｘｐｒｅｓｓコネクターは、全て電気回路基板に設置され、前記第一ＰＣＩ  Ｅｘｐｒｅｓｓコネクターの第一組ピン、前記第二ＰＣＩ  Ｅｘｐｒｅｓｓコネクターの第一組ピン及び前記第三ＰＣＩ  Ｅｘｐｒｅｓｓコネクターの第一組ピンは、チップに接続されて前記チップからの信号を受信し、前記第一ＰＣＩ  Ｅｘｐｒｅｓｓコネクターの第二組ピンは、前記第三ＰＣＩ  Ｅｘｐｒｅｓｓコネクターの第二組ピンに接続され、前記第二ＰＣＩ  Ｅｘｐｒｅｓｓコネクターの第二組ピンは、前記第三ＰＣＩ  Ｅｘｐｒｅｓｓコネクターの第三組ピンに接続され、
前記第一ジャンパーボードは電気回路基板を備え、その一端には第一組金メッキ端子及び第二組金メッキ端子が設置され、前記第一ジャンパーボードの前記第一組金メッキ端子は、前記第一ジャンパーボードの前記第二組金メッキ端子に対応して電気的に接続され、
前記第二ジャンパーボードは電気回路基板を備え、その一端には第一組金メッキ端子及び第二組金メッキ端子が設置され、前記第二ジャンパーボードの前記第一組金メッキ端子は、前記第二ジャンパーボードの前記第二組金メッキ端子に対応して電気的に接続され、
前記第一ジャンパーボードは、前記第一ＰＣＩ  Ｅｘｐｒｅｓｓコネクターに差し込まれ、前記第一ジャンパーボードの前記第一組金メッキ端子は、前記第一ＰＣＩ  Ｅｘｐｒｅｓｓコネクターの前記第一組ピンに電気的に接続され、前記第一ジャンパーボードの前記第二組金メッキ端子は、前記第一ＰＣＩ  Ｅｘｐｒｅｓｓコネクターの前記第二組ピンに電気的に接続されて、前記第一ＰＣＩ  Ｅｘｐｒｅｓｓコネクターの前記第一組ピンの信号を前記第一ＰＣＩ  Ｅｘｐｒｅｓｓコネクターの前記第二組ピンに送信して、前記第一ＰＣＩ  Ｅｘｐｒｅｓｓコネクターの前記第二組ピンの信号を前記第三ＰＣＩ  Ｅｘｐｒｅｓｓコネクターの前記第二組ピンに送信し、
前記第二ジャンパーボードは、前記第二ＰＣＩ  Ｅｘｐｒｅｓｓコネクターに差し込まれ、前記第二ジャンパーボードの前記第一組金メッキ端子は、前記第二ＰＣＩ  Ｅｘｐｒｅｓｓコネクターの前記第一組ピンに電気的に接続され、前記第二ジャンパーボードの前記第二組金メッキ端子は、前記第二ＰＣＩ  Ｅｘｐｒｅｓｓコネクターの前記第二組ピンに電気的に接続されて、前記第二ＰＣＩ  Ｅｘｐｒｅｓｓコネクターの前記第一組ピンの信号を前記第二ＰＣＩ  Ｅｘｐｒｅｓｓコネクターの前記第二組ピンに送信して、前記第二ＰＣＩ  Ｅｘｐｒｅｓｓコネクターの前記第二組ピンの信号を前記第三ＰＣＩ  Ｅｘｐｒｅｓｓコネクターの第三組ピンに送信することを特徴とするコネクターアセンブリ。
【請求項１５】
第一ＰＣＩ  Ｅｘｐｒｅｓｓコネクターと、第二ＰＣＩ  Ｅｘｐｒｅｓｓコネクターと、第三ＰＣＩ  Ｅｘｐｒｅｓｓコネクターと、第四ＰＣＩ  Ｅｘｐｒｅｓｓコネクターと、第一ジャンパーボードと、第二ジャンパーボードと、拡張ボードと、を備えてなるコネクターアセンブリであって、
前記第一ＰＣＩ  Ｅｘｐｒｅｓｓコネクターは、電気回路基板に設置され、前記第一ＰＣＩ  Ｅｘｐｒｅｓｓコネクターのピンは、チップに接続されて前記チップからの信号を受信し、
前記拡張ボードは、前記第一ＰＣＩ  Ｅｘｐｒｅｓｓコネクターに差し込まれて、前記拡張ボードの電気回路基板の一端に設置される第一組金メッキ端子、第二組金メッキ端子及び第三組金メッキ端子は、前記第一ＰＣＩ  Ｅｘｐｒｅｓｓコネクターの前記ピンに電気的に接続され、
前記第二ＰＣＩ  Ｅｘｐｒｅｓｓコネクター、前記第三ＰＣＩ  Ｅｘｐｒｅｓｓコネクター及び前記第四ＰＣＩ  Ｅｘｐｒｅｓｓコネクターは、全て拡張ボードに設置され、且つ前記第二ＰＣＩ  Ｅｘｐｒｅｓｓコネクターの第一組ピンは、前記拡張ボードの前記第一組金メッキ端子に対応して電気的に接続され、前記第三ＰＣＩ  Ｅｘｐｒｅｓｓコネクターの第一組ピンは、前記拡張ボードの前記第二組金メッキ端子に対応して電気的に接続され、前記第四ＰＣＩ  Ｅｘｐｒｅｓｓコネクターの第一組ピンは、前記拡張ボードの前記第三組金メッキ端子に対応して電気的に接続され、前記第二ＰＣＩ  Ｅｘｐｒｅｓｓコネクター、前記第三ＰＣＩ  Ｅｘｐｒｅｓｓコネクター及び前記第四ＰＣＩ  Ｅｘｐｒｅｓｓコネクターの第一組ピンは、前記第一ＰＣＩ  Ｅｘｐｒｅｓｓコネクターが受信したチップセットからの信号を受信するために用いられ、前記第二ＰＣＩ  Ｅｘｐｒｅｓｓコネクターの第二組ピンは、前記第四ＰＣＩ  Ｅｘｐｒｅｓｓコネクターの第二組ピンに接続され、前記第三ＰＣＩ  Ｅｘｐｒｅｓｓコネクターの第二組ピンは、前記第四ＰＣＩ  Ｅｘｐｒｅｓｓコネクターの第三組ピンに接続され、
前記第一ジャンパーボードは電気回路基板を備え、その一端には第一組金メッキ端子及び第二組金メッキ端子が設置され、前記第一ジャンパーボードの前記第一組金メッキ端子は、前記第一ジャンパーボードの前記第二組金メッキ端子に対応して電気的に接続され、
前記第二ジャンパーボードは電気回路基板を備え、その一端には第一組金メッキ端子及び第二組金メッキ端子が設置され、前記第二ジャンパーボードの前記第一組金メッキ端子は、前記第二ジャンパーボードの前記第二組金メッキ端子に対応して電気的に接続され、
前記第一ジャンパーボードは、前記第二ＰＣＩ  Ｅｘｐｒｅｓｓコネクターに差し込まれ、前記第一ジャンパーボードの前記第一組金メッキ端子は、前記第二ＰＣＩ  Ｅｘｐｒｅｓｓコネクターの前記第一組ピンに電気的に接続され、前記第一ジャンパーボードの第二組金メッキ端子は、前記第二ＰＣＩ  Ｅｘｐｒｅｓｓコネクターの前記第二組ピンに電気的に接続されて、前記第二ＰＣＩ  Ｅｘｐｒｅｓｓコネクターの前記第一組ピンの信号を前記第二ＰＣＩ  Ｅｘｐｒｅｓｓコネクターの前記第二組ピンに送信して、前記第二ＰＣＩ  Ｅｘｐｒｅｓｓコネクターの前記第二組ピンの信号を前記第四ＰＣＩ  Ｅｘｐｒｅｓｓコネクターの前記第二組ピンに送信し、
前記第二ジャンパーボードの前記第一組金メッキ端子は、前記第三ＰＣＩ  Ｅｘｐｒｅｓｓコネクターの前記第一組ピンに電気的に接続され、前記第二ジャンパーボードの前記第二組金メッキ端子は、前記第三ＰＣＩ  Ｅｘｐｒｅｓｓコネクターの前記第二組ピンに電気的に接続されて、前記第三ＰＣＩ  Ｅｘｐｒｅｓｓコネクターの前記第一組ピンの信号を前記第三ＰＣＩ  Ｅｘｐｒｅｓｓコネクターの前記第二組ピンに送信して、前記第三ＰＣＩ  Ｅｘｐｒｅｓｓコネクターの前記第二組ピンの信号を前記第四ＰＣＩ  Ｅｘｐｒｅｓｓコネクターの前記第三組ピンに送信することを特徴とするコネクターアセンブリ。
【請求項１６】
片側に第一組金メッキ端子、第二組金メッキ端子及び第三組金メッキ端子が設置された補助カードであって、
前記補助カードの前記第一組金メッキ端子、前記第二組金メッキ端子及び前記第三組金メッキ端子は、１つのＰＣＩ  Ｅｘｐｒｅｓｓコネクターに差し込まれ、
前記補助カードの前記第一組金メッキ端子は、チップに接続されている前記ＰＣＩ  Ｅｘｐｒｅｓｓコネクターの第一組ピンに電気的に接続され、
前記補助カードの前記第二組金メッキ端子は、前記第三組金メッキ端子に対応して接続され、且つ前記補助カードの前記第二組金メッキ端子は、前記ＰＣＩ  Ｅｘｐｒｅｓｓコネクターの第二組ピンに電気的に接続され、前記補助カードの前記第三組金メッキ端子は、前記ＰＣＩ  Ｅｘｐｒｅｓｓコネクターの第三組ピンに電気的に接続されて、前記ＰＣＩ  Ｅｘｐｒｅｓｓコネクターの前記第二組ピンの信号を前記第三組ピンに送信することを特徴とする補助カード。
【請求項１７】
前記補助カードの前記第一組金メッキ端子は、前記補助カードの第一面に位置する第１〜第３２のピン及び前記補助カードの第二面に位置する第１〜第３２のピンを備え、
前記補助カードの前記第二組金メッキ端子は、前記補助カードの第一面に位置する第３３〜第４９のピン及び前記補助カードの第二面に位置する第３３〜第４９のピンを備え、
前記補助カードの前記第三組金メッキ端子は、前記補助カードの第一面に位置する第５０〜第６６のピン及び前記補助カードの第二面に位置する第５０〜第６６のピンを備えることを特徴とする請求項１６に記載の補助カード。
【発明の詳細な説明】
【技術分野】
【０００１】
本発明は、コネクターに関するものであり、特にＰＣＩ  Ｅｘｐｒｅｓｓ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）コネクターアセンブリ及びこれに用いられる補助カードに関するものである。
【背景技術】
【０００２】
パソコンのマザーボードには一般的にＰＣＩ  Ｅｘｐｒｅｓｓ×１６コネクターが設置されるが、チップセット又はＣＰＵに設けられるレーン数が限られているため、ＰＣＩ  Ｅｘｐｒｅｓｓ×１６コネクターにおいて、８レーンだけが送受信できる。例えば、マザーボードにチップセット、ＰＣＩ  Ｅｘｐｒｅｓｓ×４コネクター、ＰＣＩ  Ｅｘｐｒｅｓｓ×８コネクター及びＰＣＩ  Ｅｘｐｒｅｓｓ×１６コネクターが設置され、前記チップセットに２０レーンが設けられる場合、前記ＰＣＩ  Ｅｘｐｒｅｓｓ×４コネクターが４レーンを占用し、前記ＰＣＩ  Ｅｘｐｒｅｓｓ×８コネクターが８レーンを占用し、前記ＰＣＩ  Ｅｘｐｒｅｓｓ×１６コネクターは８レーンを占用する。ＰＣＩ  Ｅｘｐｒｅｓｓ×１６コネクターは、ビデオカードのようなＰＣＩ  Ｅｘｐｒｅｓｓ×１６の外部接続カードを差し込むために用いられる。しかし、ＰＣＩ  Ｅｘｐｒｅｓｓ×１６のビデオカードがＰＣＩ  Ｅｘｐｒｅｓｓ×１６コネクターに差し込まれる場合、ＰＣＩ  Ｅｘｐｒｅｓｓ×１６コネクターの帯域幅は、ＰＣＩ  Ｅｘｐｒｅｓｓ×８コネクターの帯域幅と同じである。ＰＣＩ  Ｅｘｐｒｅｓｓ×４コネクター及びＰＣＩ  Ｅｘｐｒｅｓｓ×８コネクターが使用されない場合、ＰＣＩ  Ｅｘｐｒｅｓｓ×４コネクター及びＰＣＩ  Ｅｘｐｒｅｓｓ×８コネクターに接続されるレーンは浪費される。
【発明の概要】
【発明が解決しようとする課題】
【０００３】
本発明の目的は、前記課題を解決し、ＰＣＩ  Ｅｘｐｒｅｓｓコネクターの帯域幅を高め且つ各々のＰＣＩ  Ｅｘｐｒｅｓｓコネクターが占用するレーン数を可変的に割り当てることができるコネクターアセンブリ及びこれに用いられる補助カードを提供することである。
【課題を解決するための手段】
【０００４】
本発明に係るコネクターアセンブリは、ジャンパーボードと、電気回路基板に設置される第一ＰＣＩ  Ｅｘｐｒｅｓｓコネクター及び第二ＰＣＩ  Ｅｘｐｒｅｓｓコネクターと、を備え、前記第一ＰＣＩ  Ｅｘｐｒｅｓｓコネクターの第一組ピン及び前記第二ＰＣＩ  Ｅｘｐｒｅｓｓコネクターの第一組ピンは、チップに接続されてチップからの信号を受信し、前記第一ＰＣＩ  Ｅｘｐｒｅｓｓコネクターの第二組ピンは、前記第二ＰＣＩ  Ｅｘｐｒｅｓｓコネクターの第二組ピンに対応して接続され、前記ジャンパーボードは電気回路基板を備え、その一端には第一組金メッキ端子及び第二組金メッキ端子が設置され、前記第一組金メッキ端子は、前記第二組金メッキ端子に対応して電気的に接続され、前記ジャンパーボードは前記第一ＰＣＩ  Ｅｘｐｒｅｓｓコネクターに差し込まれ、前記ジャンパーボードの第一組金メッキ端子は、前記第一ＰＣＩ  Ｅｘｐｒｅｓｓコネクターの第一組ピンに電気的に接続され、前記ジャンパーボードの第二組金メッキ端子は、前記第一ＰＣＩ  Ｅｘｐｒｅｓｓコネクターの第二組ピンに電気的に接続されて、前記第一ＰＣＩ  Ｅｘｐｒｅｓｓコネクターの第一組ピンの信号を前記第一ＰＣＩ  Ｅｘｐｒｅｓｓコネクターの第二組ピンに送信して、前記第一ＰＣＩ  Ｅｘｐｒｅｓｓコネクターの第二組ピンの信号を前記第二ＰＣＩ  Ｅｘｐｒｅｓｓコネクターの第二組ピンに送信する。
【０００５】
本発明に係るコネクターアセンブリは、第一ＰＣＩ  Ｅｘｐｒｅｓｓコネクターと、第二ＰＣＩ  Ｅｘｐｒｅｓｓコネクターと、第三ＰＣＩ  Ｅｘｐｒｅｓｓコネクターと、ジャンパーボードと、拡張ボードと、を備え、前記第一ＰＣＩ  Ｅｘｐｒｅｓｓコネクター及び前記第二ＰＣＩ  Ｅｘｐｒｅｓｓコネクターは、全て電気回路基板に設置され、前記第一ＰＣＩ  Ｅｘｐｒｅｓｓコネクターの第一組ピン及び前記第二ＰＣＩ  Ｅｘｐｒｅｓｓコネクターの第一組ピンは、チップに接続されてチップからの信号を受信し、前記第一ＰＣＩ  Ｅｘｐｒｅｓｓコネクターの第二組ピンは、前記第二ＰＣＩ  Ｅｘｐｒｅｓｓコネクターの第二組ピンに対応して接続され、前記ジャンパーボードは電気回路基板を備え、その一端には第一組金メッキ端子及び第二組金メッキ端子が設置され、前記第一組金メッキ端子は、前記第二組金メッキ端子に対応して電気的に接続され、前記ジャンパーボードは前記第一ＰＣＩ  Ｅｘｐｒｅｓｓコネクターに差し込まれ、前記ジャンパーボードの第一組金メッキ端子は、前記第一ＰＣＩ  Ｅｘｐｒｅｓｓコネクターの第一組ピンに電気的に接続され、前記ジャンパーボードの第二組金メッキ端子は、前記第一ＰＣＩ  Ｅｘｐｒｅｓｓコネクターの第二組ピンに電気的に接続されて、前記第一ＰＣＩ  Ｅｘｐｒｅｓｓコネクターの第一組ピンの信号を前記第一ＰＣＩ  Ｅｘｐｒｅｓｓコネクターの第二組ピンに送信して、従って前記第一ＰＣＩ  Ｅｘｐｒｅｓｓコネクターの第二組ピンの信号を前記第二ＰＣＩ  Ｅｘｐｒｅｓｓコネクターの第二組ピンに送信し、前記拡張ボードは電気回路基板を備え、その一端には複数の金メッキ端子が設置され、前記拡張ボードは前記第二ＰＣＩ  Ｅｘｐｒｅｓｓコネクターに差し込まれ、前記拡張ボードの複数の金メッキ端子は、前記第二ＰＣＩ  Ｅｘｐｒｅｓｓコネクターの第一組ピン及び第二組ピンに電気的に接続され、前記第三ＰＣＩ  Ｅｘｐｒｅｓｓコネクターは、前記拡張ボードに設置され、前記第三ＰＣＩ  Ｅｘｐｒｅｓｓコネクターのピンは、前記拡張ボードの金メッキ端子に対応して電気的に接続されて、前記第二ＰＣＩ  Ｅｘｐｒｅｓｓコネクターの第一組ピン及び第二組ピンが受信したチップからの信号を受信する。
【０００６】
本発明に係るコネクターアセンブリは、第一ＰＣＩ  Ｅｘｐｒｅｓｓコネクターと、第二ＰＣＩ  Ｅｘｐｒｅｓｓコネクターと、第三ＰＣＩ  Ｅｘｐｒｅｓｓコネクターと、第四ＰＣＩ  Ｅｘｐｒｅｓｓコネクターと、第五ＰＣＩ  Ｅｘｐｒｅｓｓコネクターと、ジャンパーボードと、拡張ボードと、を備え、前記第一ＰＣＩ  Ｅｘｐｒｅｓｓコネクター、前記第二ＰＣＩ  Ｅｘｐｒｅｓｓコネクター及び前記第三ＰＣＩ  Ｅｘｐｒｅｓｓコネクターは、全て電気回路基板に設置され、前記第四ＰＣＩ  Ｅｘｐｒｅｓｓコネクター及び前記第五ＰＣＩ  Ｅｘｐｒｅｓｓコネクターは、全て前記拡張ボードに設置され、前記第一ＰＣＩ  Ｅｘｐｒｅｓｓコネクターの第一組ピン及び前記第二ＰＣＩ  Ｅｘｐｒｅｓｓコネクターの第一組ピンは、チップに接続されてチップからの信号を受信し、前記第一ＰＣＩ  Ｅｘｐｒｅｓｓコネクターの第一組ピンは、前記第三ＰＣＩ  Ｅｘｐｒｅｓｓコネクターのピンに対応して接続されて、前記第一ＰＣＩ  Ｅｘｐｒｅｓｓコネクターが受信したチップからの信号を前記第三ＰＣＩ  Ｅｘｐｒｅｓｓコネクターに送信し、前記拡張ボードは前記第二ＰＣＩ  Ｅｘｐｒｅｓｓコネクター及び前記第三ＰＣＩ  Ｅｘｐｒｅｓｓコネクターに差し込まれて、前記第二ＰＣＩ  Ｅｘｐｒｅｓｓコネクター及び前記第三ＰＣＩ  Ｅｘｐｒｅｓｓコネクターが受信したチップからの信号を前記第四ＰＣＩ  Ｅｘｐｒｅｓｓコネクター及び前記第五ＰＣＩ  Ｅｘｐｒｅｓｓコネクターに送信し、前記ジャンパーボードは電気回路基板を備え、その一端には第一組金メッキ端子及び第二組金メッキ端子が設置され、前記第一組金メッキ端子は、前記第二組金メッキ端子に対応して電気的に接続され、前記ジャンパーボードは前記第四ＰＣＩ  Ｅｘｐｒｅｓｓコネクターに差し込まれ、前記ジャンパーボードの第一組金メッキ端子は、前記第四ＰＣＩ  Ｅｘｐｒｅｓｓコネクターの第一組ピンに電気的に接続され、前記ジャンパーボードの第二組金メッキ端子は、前記第四ＰＣＩ  Ｅｘｐｒｅｓｓコネクターの第二組ピンに電気的に接続されて、前記第四ＰＣＩ  Ｅｘｐｒｅｓｓコネクターの第一組ピンの信号を前記第四ＰＣＩ  Ｅｘｐｒｅｓｓコネクターの第二組ピンに送信して、前記第四ＰＣＩ  Ｅｘｐｒｅｓｓコネクターの第二組ピンの信号を前記第五ＰＣＩ  Ｅｘｐｒｅｓｓコネクターの第二組ピンに送信する。
【０００７】
本発明に係るコネクターアセンブリは、第一ＰＣＩ  Ｅｘｐｒｅｓｓコネクターと、第二ＰＣＩ  Ｅｘｐｒｅｓｓコネクターと、第三ＰＣＩ  Ｅｘｐｒｅｓｓコネクターと、ジャンパーボードと、拡張ボードと、を備え、前記第一ＰＣＩ  Ｅｘｐｒｅｓｓコネクターは電気回路基板に設置され、前記第一ＰＣＩ  Ｅｘｐｒｅｓｓコネクターのピンは、チップに接続されてチップからの信号を受信し、前記拡張ボードは電気回路基板を備え、その一端には複数の金メッキ端子が設置され、前記拡張ボードは前記第一ＰＣＩ  Ｅｘｐｒｅｓｓコネクターに差し込まれて、前記第一ＰＣＩ  Ｅｘｐｒｅｓｓコネクターが受信したチップからの信号を前記拡張ボードに設置された前記第二ＰＣＩ  Ｅｘｐｒｅｓｓコネクター及び前記第三ＰＣＩ  Ｅｘｐｒｅｓｓコネクターの第一組ピンに送信し、前記ジャンパーボードは電気回路基板を備え、その一端には第一組金メッキ端子及び第二組金メッキ端子が設置され、前記第一組金メッキ端子は、前記第二組金メッキ端子に対応して電気的に接続され、前記ジャンパーボードは前記第二ＰＣＩ  Ｅｘｐｒｅｓｓコネクターに差し込まれ、前記ジャンパーボードの第一組金メッキ端子は、前記第二ＰＣＩ  Ｅｘｐｒｅｓｓコネクターの第一組ピンに電気的に接続され、前記ジャンパーボードの第二組金メッキ端子は、前記第二ＰＣＩ  Ｅｘｐｒｅｓｓコネクターの第二組ピンに電気的に接続されて、前記第二ＰＣＩ  Ｅｘｐｒｅｓｓコネクターの第一組ピンの信号を前記第二ＰＣＩ  Ｅｘｐｒｅｓｓコネクターの第二組ピンに送信して、前記第二ＰＣＩ  Ｅｘｐｒｅｓｓコネクターの第二組ピンの信号を前記第三ＰＣＩ  Ｅｘｐｒｅｓｓコネクターの第二組ピンに送信する。
【０００８】
本発明に係るコネクターアセンブリは、第一ＰＣＩ  Ｅｘｐｒｅｓｓコネクターと、第二ＰＣＩ  Ｅｘｐｒｅｓｓコネクターと、第三ＰＣＩ  Ｅｘｐｒｅｓｓコネクターと、第一ジャンパーボードと、第二ジャンパーボードと、を備え、前記第一ＰＣＩ  Ｅｘｐｒｅｓｓコネクター、前記第二ＰＣＩ  Ｅｘｐｒｅｓｓコネクター及び前記第三ＰＣＩ  Ｅｘｐｒｅｓｓコネクターは、全て電気回路基板に設置され、前記第一ＰＣＩ  Ｅｘｐｒｅｓｓコネクターの第一組ピン、前記第二ＰＣＩ  Ｅｘｐｒｅｓｓコネクターの第一組ピン及び前記第三ＰＣＩ  Ｅｘｐｒｅｓｓコネクターの第一組ピンは、チップに接続されてチップからの信号を受信し、前記第一ＰＣＩ  Ｅｘｐｒｅｓｓコネクターの第二組ピンは、前記第三ＰＣＩ  Ｅｘｐｒｅｓｓコネクターの第二組ピンに接続され、前記第二ＰＣＩ  Ｅｘｐｒｅｓｓコネクターの第二組ピンは、前記第三ＰＣＩ  Ｅｘｐｒｅｓｓコネクターの第三組ピンに接続され、前記第一ジャンパーボードは電気回路基板を備え、その一端には第一組金メッキ端子及び第二組金メッキ端子が設置され、前記第一ジャンパーボードの第一組金メッキ端子は、前記第一ジャンパーボードの第二組金メッキ端子に対応して電気的に接続され、前記第二ジャンパーボードは電気回路基板を備え、その一端には第一組金メッキ端子及び第二組金メッキ端子が設置され、前記第二ジャンパーボードの第一組金メッキ端子は、前記第二ジャンパーボードの第二組金メッキ端子に対応して電気的に接続され、前記第一ジャンパーボードは、前記第一ＰＣＩ  Ｅｘｐｒｅｓｓコネクターに差し込まれ、前記第一ジャンパーボードの第一組金メッキ端子は、前記第一ＰＣＩ  Ｅｘｐｒｅｓｓコネクターの第一組ピンに電気的に接続され、前記第一ジャンパーボードの第二組金メッキ端子は、前記第一ＰＣＩ  Ｅｘｐｒｅｓｓコネクターの第二組ピンに電気的に接続されて、前記第一ＰＣＩ  Ｅｘｐｒｅｓｓコネクターの第一組ピンの信号を前記第一ＰＣＩ  Ｅｘｐｒｅｓｓコネクターの第二組ピンに送信して、前記第一ＰＣＩ  Ｅｘｐｒｅｓｓコネクターの第二組ピンの信号を前記第三ＰＣＩ  Ｅｘｐｒｅｓｓコネクターの第二組ピンに送信し、前記第二ジャンパーボードは、前記第二ＰＣＩ  Ｅｘｐｒｅｓｓコネクターに差し込まれ、前記第二ジャンパーボードの第一組金メッキ端子は、前記第二ＰＣＩ  Ｅｘｐｒｅｓｓコネクターの第一組ピンに電気的に接続され、前記第二ジャンパーボードの第二組金メッキ端子は、前記第二ＰＣＩ  Ｅｘｐｒｅｓｓコネクターの第二組ピンに電気的に接続されて、前記第二ＰＣＩ  Ｅｘｐｒｅｓｓコネクターの第一組ピンの信号を前記第二ＰＣＩ  Ｅｘｐｒｅｓｓコネクターの第二組ピンに送信して、前記第二ＰＣＩ  Ｅｘｐｒｅｓｓコネクターの第二組ピンの信号を前記第三ＰＣＩ  Ｅｘｐｒｅｓｓコネクターの第三組ピンに送信する。
【０００９】
本発明に係るコネクターアセンブリは、第一ＰＣＩ  Ｅｘｐｒｅｓｓコネクターと、第二ＰＣＩ  Ｅｘｐｒｅｓｓコネクターと、第三ＰＣＩ  Ｅｘｐｒｅｓｓコネクターと、第四ＰＣＩ  Ｅｘｐｒｅｓｓコネクターと、第一ジャンパーボードと、第二ジャンパーボードと、拡張ボードと、を備え、前記第一ＰＣＩ  Ｅｘｐｒｅｓｓコネクターは、電気回路基板に設置され、前記第一ＰＣＩ  Ｅｘｐｒｅｓｓコネクターのピンは、チップに接続されてチップからの信号を受信し、前記拡張ボードは、前記第一ＰＣＩ  Ｅｘｐｒｅｓｓコネクターに差し込まれて、前記拡張ボードの電気回路基板の一端に設置される第一組金メッキ端子、第二組金メッキ端子及び第三組金メッキ端子は、前記第一ＰＣＩ  Ｅｘｐｒｅｓｓコネクターのピンに電気的に接続され、前記第二ＰＣＩ  Ｅｘｐｒｅｓｓコネクター、前記第三ＰＣＩ  Ｅｘｐｒｅｓｓコネクター及び前記第四ＰＣＩ  Ｅｘｐｒｅｓｓコネクターは、全て拡張ボードに設置され、且つ前記第二ＰＣＩ  Ｅｘｐｒｅｓｓコネクターの第一組ピンは、前記拡張ボードの第一組金メッキ端子に対応して電気的に接続され、前記第三ＰＣＩ  Ｅｘｐｒｅｓｓコネクターの第一組ピンは、前記拡張ボードの第二組金メッキ端子に対応して電気的に接続され、前記第四ＰＣＩ  Ｅｘｐｒｅｓｓコネクターの第一組ピンは、前記拡張ボードの第三組金メッキ端子に対応して電気的に接続され、前記第二ＰＣＩ  Ｅｘｐｒｅｓｓコネクター、前記第三ＰＣＩ  Ｅｘｐｒｅｓｓコネクター及び前記第四ＰＣＩ  Ｅｘｐｒｅｓｓコネクターの第一組ピンは、前記第一ＰＣＩ  Ｅｘｐｒｅｓｓコネクターが受信したチップセットからの信号を受信するために用いられ、前記第二ＰＣＩ  Ｅｘｐｒｅｓｓコネクターの第二組ピンは、前記第四ＰＣＩ  Ｅｘｐｒｅｓｓコネクターの第二組ピンに接続され、前記第三ＰＣＩ  Ｅｘｐｒｅｓｓコネクターの第二組ピンは、前記第四ＰＣＩ  Ｅｘｐｒｅｓｓコネクターの第三組ピンに接続され、前記第一ジャンパーボードは電気回路基板を備え、その一端には第一組金メッキ端子及び第二組金メッキ端子が設置され、前記第一ジャンパーボードの第一組金メッキ端子は、前記第一ジャンパーボードの第二組金メッキ端子に対応して電気的に接続され、前記第二ジャンパーボードは電気回路基板を備え、その一端には第一組金メッキ端子及び第二組金メッキ端子が設置され、前記第二ジャンパーボードの第一組金メッキ端子は、前記第二ジャンパーボードの第二組金メッキ端子に対応して電気的に接続され、前記第一ジャンパーボードは、前記第二ＰＣＩ  Ｅｘｐｒｅｓｓコネクターに差し込まれ、前記第一ジャンパーボードの第一組金メッキ端子は、前記第二ＰＣＩ  Ｅｘｐｒｅｓｓコネクターの第一組ピンに電気的に接続され、前記第一ジャンパーボードの第二組金メッキ端子は、前記第二ＰＣＩ  Ｅｘｐｒｅｓｓコネクターの第二組ピンに電気的に接続されて、前記第二ＰＣＩ  Ｅｘｐｒｅｓｓコネクターの第一組ピンの信号を前記第二ＰＣＩ  Ｅｘｐｒｅｓｓコネクターの第二組ピンに送信して、前記第二ＰＣＩ  Ｅｘｐｒｅｓｓコネクターの第二組ピンの信号を前記第四ＰＣＩ  Ｅｘｐｒｅｓｓコネクターの第二組ピンに送信し、前記第二ジャンパーボードの第一組金メッキ端子は��前記第三ＰＣＩ  Ｅｘｐｒｅｓｓコネクターの第一組ピンに電気的に接続され、前記第二ジャンパーボードの第二組金メッキ端子は、前記第三ＰＣＩ  Ｅｘｐｒｅｓｓコネクターの第二組ピンに電気的に接続されて、前記第三ＰＣＩ  Ｅｘｐｒｅｓｓコネクターの第一組ピンの信号を前記第三ＰＣＩ  Ｅｘｐｒｅｓｓコネクターの第二組ピンに送信して、前記第三ＰＣＩ  Ｅｘｐｒｅｓｓコネクターの第二組ピンの信号を前記第四ＰＣＩ  Ｅｘｐｒｅｓｓコネクターの第三組ピンに送信する。
【００１０】
本発明に係る補助カードの片側には、第一組金メッキ端子、第二組金メッキ端子及び第三組金メッキ端子が設置され、前記補助カードの第一組金メッキ端子、第二組金メッキ端子及び第三組金メッキ端子は、１つのＰＣＩ  Ｅｘｐｒｅｓｓコネクターに差し込まれ、前記補助カードの第一組金メッキ端子は、チップに接続されている前記ＰＣＩ  Ｅｘｐｒｅｓｓコネクターの第一組ピンに電気的に接続され、前記補助カードの第二組金メッキ端子は第三組金メッキ端子に対応して接続され、且つ前記補助カードの第二組金メッキ端子は、前記ＰＣＩ  Ｅｘｐｒｅｓｓコネクターの第二組ピンに電気的に接続され、前記補助カードの第三組金メッキ端子は、前記ＰＣＩ  Ｅｘｐｒｅｓｓコネクターの第三組ピンに電気的に接続されて、前記ＰＣＩ  Ｅｘｐｒｅｓｓコネクターの第二組ピンの信号を第三組ピンに送信する。
【発明の効果】
【００１１】
本発明のコネクターアセンブリは、ジャンパーボード又は補助カードを、外部カードが接続されないＰＣＩ  Ｅｘｐｒｅｓｓコネクターに差し込んで、外部カードが接続されないＰＣＩ  Ｅｘｐｒｅｓｓコネクターがチップセットから受ける信号を他のＰＣＩ  Ｅｘｐｒｅｓｓコネクターに送信することにより、ＰＣＩ  Ｅｘｐｒｅｓｓコネクターの帯域幅を高める。又、前記補助カードは、ジャンパーボード及び外部接続カードを同じ電気回路基板に統合したので、使用に便利であり、且つコストを下げる。
【図面の簡単な説明】
【００１２】
【図１】本発明の第一実施形態に係るコネクターアセンブリを示す図である。
【図２】図１に示すコネクターアセンブリのジャンパーボードを示す図である。
【図３】図１に示すコネクターアセンブリの使用状態を示す図である。
【図４】本発明の第二実施形態に係るコネクターアセンブリを示す図である。
【図５】図４に示すコネクターアセンブリのジャンパーボードを示す図である。
【図６】図４に示すコネクターアセンブリの使用状態を示す図である。
【図７】図４に示すコネクターアセンブリのジャンパーボードの他の実施形態を示す図である。
【図８】図４に示すコネクターアセンブリのジャンパーボードの他の実施形態を示す図である。
【図９】図７に示すジャンパーボードの使用状態を示す図である。
【図１０】本発明の第三実施形態に係るコネクターアセンブリの構造を示す図である。
【図１１】本発明の第四実施形態に係るコネクターアセンブリの構造を示す図である。
【図１２】本発明の第五実施形態に係るコネクターアセンブリの構造を示す図である。
【図１３】本発明の実施形態に係る補助カードを示す図である。
【発明を実施するための形態】
【００１３】
以下、図面を参照して、本発明の実施形態について説明する。
【００１４】
図１を参照すると、本発明の第一実施形態に係るコネクターアセンブリは、デスクトップパソコンのマザーボード１０に設置され、第一ＰＣＩ  Ｅｘｐｒｅｓｓ×１６コネクター３０、第二ＰＣＩ  Ｅｘｐｒｅｓｓ×１６コネクター４０及びジャンパーボード２０を備える。前記マザーボード１０に設置されるチップセット（図示せず）に１６レーンが設けられると仮定する場合、前記第一ＰＣＩ  Ｅｘｐｒｅｓｓ×１６コネクター３０及び前記第二ＰＣＩ  Ｅｘｐｒｅｓｓ×１６コネクター４０は、別々に８レーンを占用する。
【００１５】
ＰＣＩ  Ｅｘｐｒｅｓｓ×１６コネクターは、Ａ面及びＢ面を有し、全部で１６４個のピンを備え、具体的に説明すると、Ａ面はＡ１〜Ａ８２の８２個のピンを備え、Ｂ面はＢ１〜Ｂ８２の８２個のピンを備える。Ａ１〜Ａ１３及びＢ１〜Ｂ１３のピンは、駆動信号ピンであり、電源信号、クロック信号などを送信するために用いられ、Ａ１４〜Ａ１８及びＢ１４〜Ｂ１８のピンは、１レーン内の信号を送信するために用いられ、即ちＰＣＩ  Ｅｘｐｒｅｓｓ×１コネクターは、Ａ１〜Ａ１８及びＢ１〜Ｂ１８のピンを備える。Ａ１９〜Ａ３２及びＢ１９〜Ｂ３２のピンは、３レーン内の信号を送信するために用いられ、即ちＰＣＩ  Ｅｘｐｒｅｓｓ×４コネクターは、Ａ１〜Ａ３２及びＢ１〜Ｂ３２のピンを備える。Ａ３３〜Ａ４９及びＢ３３〜Ｂ４９のピンは、４レーン内の信号を送信するために用いられ、即ちＰＣＩ  Ｅｘｐｒｅｓｓ×８コネクターは、Ａ１〜Ａ４９及びＢ１〜Ｂ４９のピンを備える。Ａ５０〜Ａ８２及びＢ５０〜Ｂ８２のピンは、８レーン内の信号を送信するために用いられ、即ちＰＣＩ  Ｅｘｐｒｅｓｓ×１６コネクターは、Ａ１〜Ａ８２及びＢ１〜Ｂ８２のピンを備える。本実施形態において、前記チップセットには１６レーンが設けられ、前記第一ＰＣＩ  Ｅｘｐｒｅｓｓ×１６コネクター３０及び前記第二ＰＣＩ  Ｅｘｐｒｅｓｓ×１６コネクター４０がそれぞれ８レーンを占用するので、前記第一ＰＣＩ  Ｅｘｐｒｅｓｓ×１６コネクター３０及び前記第二ＰＣＩ  Ｅｘｐｒｅｓｓ×１６コネクター４０のＡ１〜Ａ４９及びＢ１〜Ｂ４９のピンは、別々に前記チップセットからの信号を受信し、前記第一ＰＣＩ  Ｅｘｐｒｅｓｓ×１６コネクター３０及び前記第二ＰＣＩ  Ｅｘｐｒｅｓｓ×１６コネクター４０のＡ５０〜Ａ８２及びＢ５０〜Ｂ８２のピンは、チップセットからの信号を受信しない。従って、ＰＣＩ  Ｅｘｐｒｅｓｓ×１６コネクターにＰＣＩ  Ｅｘｐｒｅｓｓ×８の外部接続カードを差し込む場合、ＰＣＩ  Ｅｘｐｒｅｓｓ×１６コネクターのＡ１〜Ａ４９及びＢ１〜Ｂ４９のピンが信号を送信し、他のＡ５０〜Ａ８２及びＢ５０〜Ｂ８２のピンは信号を送信しない。
【００１６】
図２を参照すると、前記ジャンパーボード２０は、電気回路基板であり、その一端には複数の金メッキ端子が設置され、これらの金メッキ端子はＣ面及びＤ面における１３８個のピンを備え、Ｃ面はＣ１４〜Ｃ８２の６９個のピンを備え（Ｃ面の第一番目のピンはＣ１４である）、Ｄ面はＤ１４〜Ｄ８２の６９個のピンを備える（図示せず）。
【００１７】
表１は、前記ジャンパーボード２０の各々のピンの接続関係を示す。
【００１８】
【表１】
2013025796.tif 000003
【００１９】
表１において、奇数行の各々のピンは、次の偶数行の同じ列に位置するピンに接続され、例えば、Ｃ１４のピンはＣ５０のピンに接続され、Ｃ２０のピンはＣ５５のピンに接続される。表１において、「Ｘ」はピンがないことを示し、即ちこの位置に対応されるピンはピンと接続されていないことを示し、例えば、Ｃ１７のピン及びＣ３０のピンは全てピンと接続していない。前記第一ＰＣＩ  Ｅｘｐｒｅｓｓ×１６コネクター３０のＡ１〜Ａ１３及びＢ１〜Ｂ１３のピンによって送信される電源信号及びクロック信号は、前記第二ＰＣＩ  Ｅｘｐｒｅｓｓ×１６コネクター４０に送信されなくてもよいので、前記ジャンパーボード２０のピンの数は前記第一ＰＣＩ  Ｅｘｐｒｅｓｓ×１６コネクター３０のピンの数より少ない。同じ道理で、表１における前記ジャンパーボード２０のＣ１７のピン及びＤ１９のピンはピンと接続せず、これは、前記Ｃ１７のピン及び前記Ｄ１９のピンに対応して接続される前記第一ＰＣＩ  Ｅｘｐｒｅｓｓ×１６コネクター３０のＡ１７のピン及びＢ１９のピンは信号を前記第二ＰＣＩ  Ｅｘｐｒｅｓｓ×１６コネクター４０に送信されないことを意味する。
【００２０】
前記第一ＰＣＩ  Ｅｘｐｒｅｓｓ×１６コネクター３０及び前記第二ＰＣＩ  Ｅｘｐｒｅｓｓ×１６コネクター４０は、別々にＡ列及びＢ列の全部で１６４個のピンを備え、Ａ列はＡ１〜Ａ８２の８２個のピンを備え、Ｂ列はＢ１〜Ｂ８２の８２個のピンを備える。
【００２１】
前記第一ＰＣＩ  Ｅｘｐｒｅｓｓ×１６コネクター３０及び前記第二ＰＣＩ  Ｅｘｐｒｅｓｓ×１６コネクター４０のＡ１〜Ａ４９及びＢ１〜Ｂ４９のピンは、全てマザーボードに設置されたチップセットに対応して接続され、ＰＣＩ  Ｅｘｐｒｅｓｓ×８コネクターのピンがチップセットに接続される方法と同じである。前記第一ＰＣＩ  Ｅｘｐｒｅｓｓ×１６コネクター３０のＡ５０〜Ａ８２及びＢ５０〜Ｂ８２のピンは、前記第二ＰＣＩ  Ｅｘｐｒｅｓｓ×１６コネクター４０のＡ５０〜Ａ８２及びＢ５０〜Ｂ８２のピンに接続され、即ち前記第一ＰＣＩ  Ｅｘｐｒｅｓｓ×１６コネクター３０のＡ５０ピンは、前記第二ＰＣＩ  Ｅｘｐｒｅｓｓ×１６コネクター４０のＡ５０のピンに接続され、前記第一ＰＣＩ  Ｅｘｐｒｅｓｓ×１６コネクター３０のＢ５０ピンは、前記第二ＰＣＩ  Ｅｘｐｒｅｓｓ×１６コネクター４０のＢ５０のピンに接続され、このほかも同様に接続される。
【００２２】
図３を参照すると、使用する場合、前記第一ＰＣＩ  Ｅｘｐｒｅｓｓ×１６コネクター３０が使用されず、前記第二ＰＣＩ  Ｅｘｐｒｅｓｓ×１６コネクター４０のみにＰＣＩ  Ｅｘｐｒｅｓｓ×１６の外部接続カード５０が差し込まれると、前記ジャンパーボード２０を前記第一ＰＣＩ  Ｅｘｐｒｅｓｓ×１６コネクター３０に差し込む。この時、前記ジャンパーボード２０のＣ１４〜Ｃ８２及びＤ１４〜Ｄ８２のピンは、前記第一ＰＣＩ  Ｅｘｐｒｅｓｓ×１６コネクター３０のＡ１４〜Ａ８２及びＢ１４〜Ｂ８２のピンに対応して接続される。
【００２３】
以下、前記第一ＰＣＩ  Ｅｘｐｒｅｓｓ×１６コネクター３０の各々のピンと前記ジャンパーボード２０の各々のピンとの間の信号送信関係に関して説明する。前記第一ＰＣＩ  Ｅｘｐｒｅｓｓ×１６コネクター３０のＡ１４のピンを例に挙げると、前記ジャンパーボード２０の各々のピンと前記第一ＰＣＩ  Ｅｘｐｒｅｓｓ×１６コネクター３０の各々のピンとの間の接続関係（例えばＡ１４のピンはＣ１４のピンに接続され、Ａ５０のピンはＣ５０のピンに接続される関係）及び前記ジャンパーボード２０の各々のピンの間の接続関係（例えばＣ１４のピンはＣ５０のピンに接続される関係）に基づいて、前記第一ＰＣＩ  Ｅｘｐｒｅｓｓ×１６コネクター３０のＡ１４のピンの信号は、先ず前記ジャンパーボード２０のＣ１４のピンに送信されてから、続いて前記ジャンパーボード２０のＣ５０のピンに送信され、最終的に前記第一ＰＣＩ  Ｅｘｐｒｅｓｓ×１６コネクター３０のＡ５０のピンに送信される。他のピンの信号送信関係は、前記ジャンパーボード２０の各々のピンと前記第一ＰＣＩ  Ｅｘｐｒｅｓｓ×１６コネクター３０の各々のピンとの間の接続関係及び前記ジャンパーボード２０の各々のピンの間の接続関係から理解することができるので、詳しい説明を省略する。前記ジャンパーボード２０によって、前記第一ＰＣＩ  Ｅｘｐｒｅｓｓ×１６コネクター３０のＡ１４〜Ａ４９及びＢ１４〜Ｂ４９のピンは、前記チップセットからの信号を受信してから、チップセットからの信号を受信しないＡ５０〜Ａ８２及びＢ５０〜Ｂ８２のピンに送信する。
【００２４】
前記第一ＰＣＩ  Ｅｘｐｒｅｓｓ×１６コネクター３０の各々のピンと前記第二ＰＣＩ  Ｅｘｐｒｅｓｓ×１６コネクター４０の各々のピンとの間の接続関係（例えば前記第一ＰＣＩ  Ｅｘｐｒｅｓｓ×１６コネクター３０のＡ５０のピンは、前記第二ＰＣＩ  Ｅｘｐｒｅｓｓ×１６コネクター４０のＡ５０のピンに接続される関係）に基づいて、前記第一ＰＣＩ  Ｅｘｐｒｅｓｓ×１６コネクター３０のＡ５０のピンの信号は、前記第二ＰＣＩ  Ｅｘｐｒｅｓｓ×１６コネクター４０のＡ５０のピンに送信され、他のピンの信号送信関係は、同様である。
【００２５】
前記第二ＰＣＩ  Ｅｘｐｒｅｓｓ×１６コネクター４０のＡ１〜Ａ４９及びＢ１〜Ｂ４９のピンは、チップセットの８レーン内の信号を受信し、前記第一ＰＣＩ  Ｅｘｐｒｅｓｓ×１６コネクター３０のＡ１４〜Ａ４９及びＢ１４〜Ｂ４９のピンは、チップセットの８レーン内の信号を受信してから前記ジャンパーボード２０によって前記第一ＰＣＩ  Ｅｘｐｒｅｓｓ×１６コネクター３０のＡ５０〜Ａ８２及びＢ５０〜Ｂ８２のピンに送信し、前記第二ＰＣＩ  Ｅｘｐｒｅｓｓ×１６コネクター４０のＡ５０〜Ａ８２及びＢ５０〜Ｂ８２のピンは、前記第一ＰＣＩ  Ｅｘｐｒｅｓｓ×１６コネクター３０のＡ５０〜Ａ８２及びＢ５０〜Ｂ８２のピンに接続されてチップセットからの信号を受信するので、前記第二ＰＣＩ  Ｅｘｐｒｅｓｓ×１６コネクター４０に差し込まれるＰＣＩ  Ｅｘｐｒｅｓｓ×１６外部接続カードは、１６レーンによってチップセットと通信することができ、即ち前記第二ＰＣＩ  Ｅｘｐｒｅｓｓ×１６コネクター４０の帯域幅を２倍に高める。前記第一ＰＣＩ  Ｅｘｐｒｅｓｓ×１６コネクター３０及び前記第二ＰＣＩ  Ｅｘｐｒｅｓｓ×１６コネクター４０を互いに替えることができ、即ち前記ジャンパーボード２０を前記第二ＰＣＩ  Ｅｘｐｒｅｓｓ×１６コネクター４０に差し込み、ＰＣＩ  Ｅｘｐｒｅｓｓ×１６外部接続カードを前記第一ＰＣＩ  Ｅｘｐｒｅｓｓ×１６コネクター３０に差し込んでも、上述の目的を達成することができる。
【００２６】
前記第一ＰＣＩ  Ｅｘｐｒｅｓｓ×１６コネクター３０のピンの信号が前記前記第二ＰＣＩ  Ｅｘｐｒｅｓｓ×１６コネクター４０の対応するピンに送信され、又は前記第二ＰＣＩ  Ｅｘｐｒｅｓｓ×１６コネクター４０のピンの信号が前記第一ＰＣＩ  Ｅｘｐｒｅｓｓ×１６コネクター３０の対応するピンに送信されると、前記ジャンパーボード２０の各々のピンの間の接続関係は、表１の接続方法に限定されるものではない。
【００２７】
もし前記第一ＰＣＩ  Ｅｘｐｒｅｓｓ×１６コネクター３０及び前記第二ＰＣＩ  Ｅｘｐｒｅｓｓ×１６コネクター４０にそれぞれ１つのＰＣＩ  Ｅｘｐｒｅｓｓ×１６外部接続カードが差し込まれると、前記第一ＰＣＩ  Ｅｘｐｒｅｓｓ×１６コネクター３０に差し込まれる前記ＰＣＩ  Ｅｘｐｒｅｓｓ×１６外部接続カードは、前記第一ＰＣＩ  Ｅｘｐｒｅｓｓ×１６コネクター３０のＡ１〜Ａ４９及びＢ１〜Ｂ４９のピンによってチップセットと通信し、前記第二ＰＣＩ  Ｅｘｐｒｅｓｓ×１６コネクター４０に差し込まれる前記ＰＣＩ  Ｅｘｐｒｅｓｓ×１６外部接続カードは、前記第二ＰＣＩ  Ｅｘｐｒｅｓｓ×１６コネクター４０のＡ１〜Ａ４９及びＢ１〜Ｂ４９のピンによってチップセットと通信し、即ち２つの前記ＰＣＩ  Ｅｘｐｒｅｓｓ×１６外部接続カードが前記チップセットと通信する帯域幅は、ＰＣＩ  Ｅｘｐｒｅｓｓ×８コネクターがもたらす帯域幅と同じである。
【００２８】
図４を参照すると、本発明の第二実施形態に係るコネクターアセンブリは、第一ＰＣＩ  Ｅｘｐｒｅｓｓ×１６コネクター３２、第二ＰＣＩ  Ｅｘｐｒｅｓｓ×１６コネクター４２及びジャンパーボード２２を備え、前記第一ＰＣＩ  Ｅｘｐｒｅｓｓ×１６コネクター３２及び前記第二ＰＣＩ  Ｅｘｐｒｅｓｓ×１６コネクター４２は、別々にチップセットの８レーンを占用する。
【００２９】
図５を参照すると、前記ジャンパーボード２２は、電気回路基板であり、その一端には複数の金メッキ端子が設置され、これらの金メッキ端子はＥ面及びＦ面における６８個のピンを備え、Ｅ面はＥ３３〜Ｅ４９、Ｅ６５及びＥ６７〜Ｅ８２の３４個のピンを備え、Ｆ面はＦ３３〜Ｆ４９及びＦ６６〜Ｆ８２の３４個のピンを備える（図示せず）。Ｅ３３〜Ｅ４９のピンは、第一組のピンであり、Ｅ６５及びＥ６７〜Ｅ８２のピンは、第二組のピンであり、Ｆ３３〜Ｆ４９のピンは、第三組のピンであり、Ｆ６６〜Ｆ８２のピンは、第四組のピンである。
【００３０】
表２は、前記ジャンパーボード２２の各々のピンの接続関係を表示する。
【００３１】
【表２】
2013025796.tif 000004
【００３２】
表２において、奇数行の各々のピンは、次の偶数行の同じ列に位置するピンに接続され、例えば、Ｅ３３のピンはＥ６５のピンに接続され、Ｆ３４のピンはＦ６７のピンに接続される。
【００３３】
前記第一ＰＣＩ  Ｅｘｐｒｅｓｓ×１６コネクター３２と前記第二ＰＣＩ  Ｅｘｐｒｅｓｓ×１６コネクター４２との間の接続関係は、前記第一実施形態における前記第一ＰＣＩ  Ｅｘｐｒｅｓｓ×１６コネクター３０と前記第二ＰＣＩ  Ｅｘｐｒｅｓｓ×１６コネクター４０との間の接続関係と同じであり、即ち前記第一ＰＣＩ  Ｅｘｐｒｅｓｓ×１６コネクター３２のＡ５０〜Ａ８２のピンは、前記第二ＰＣＩ  Ｅｘｐｒｅｓｓ×１６コネクター４２のＡ５０〜Ａ８２のピンに対応して接続され、前記第一ＰＣＩ  Ｅｘｐｒｅｓｓ×１６コネクター３２のＢ５０〜Ｂ８２のピンは、前記第二ＰＣＩ  Ｅｘｐｒｅｓｓ×１６コネクター４２のＢ５０〜Ｂ８２のピンに対応して接続される。
【００３４】
使用する場合、図６に示したように、前記ジャンパーボード２２を前記第一ＰＣＩ  Ｅｘｐｒｅｓｓ×１６コネクター３２に差し込み、前記ジャンパーボード２２のＥ３３〜Ｅ４９、Ｅ６５及びＥ６７〜Ｅ８２のピンは、前記第一ＰＣＩ  Ｅｘｐｒｅｓｓ×１６コネクター３２のＡ３３〜Ａ４９、Ａ６５及びＡ６７〜Ａ８２のピンに対応して接続され、前記ジャンパーボード２２のＦ３３〜Ｆ４９及びＦ６６〜Ｆ８２のピンは、前記第一ＰＣＩ  Ｅｘｐｒｅｓｓ×１６コネクター３２のＢ３３〜Ｂ４９及びＢ６６〜Ｂ８２のピンに対応して接続される。
【００３５】
以下、前記第一ＰＣＩ  Ｅｘｐｒｅｓｓ×１６コネクター３２の各々のピンと前記ジャンパーボード２２の各々のピンとの間の信号送信関係について説明する。前記第一ＰＣＩ  Ｅｘｐｒｅｓｓ×１６コネクター３２のＡ３３のピンを例に挙げると、前記ジャンパーボード２２の各々のピンと前記第一ＰＣＩ  Ｅｘｐｒｅｓｓ×１６コネクター３２の各々のピンとの間の接続関係（例えばＡ３３のピンはＥ３３のピンに接続され、Ａ６５のピンはＥ６５のピンに接続される関係）及び前記ジャンパーボード２２の各々のピンの間の接続関係（例えばＥ３３のピンはＥ６５のピンに接続される関係）に基づいて、前記第一ＰＣＩ  Ｅｘｐｒｅｓｓ×１６コネクター３２のＡ３３のピンの信号は、先ず前記ジャンパーボード２２のＥ３３のピンに送信されてから、続いて前記ジャンパーボード２２のＥ６５のピンに送信され、最終的に前記第一ＰＣＩ  Ｅｘｐｒｅｓｓ×１６コネクター３２のＡ６５のピンに送信される。他のピンの信号送信関係は、前記ジャンパーボード２２の各々のピンと前記第一ＰＣＩ  Ｅｘｐｒｅｓｓ×１６コネクター３２の各々のピンとの間の接続関係及び前記ジャンパーボード２２の各々のピンの間の接続関係から理解することができるので、詳しい説明を省略する。前記ジャンパーボード２２によって、前記第一ＰＣＩ  Ｅｘｐｒｅｓｓ×１６コネクター３２のＡ３３〜Ａ４９及びＢ３３〜Ｂ４９のピンは、前記チップセットからの信号を受信してから、チップセットからの信号を受信しないＡ６５、Ａ６７〜Ａ８２及びＢ６６〜Ｂ８２のピンに送信する。
【００３６】
前記第一ＰＣＩ  Ｅｘｐｒｅｓｓ×１６コネクター３２の各々のピンと前記第二ＰＣＩ  Ｅｘｐｒｅｓｓ×１６コネクター４２の各々のピンとの間の接続関係（例えば前記第一ＰＣＩ  Ｅｘｐｒｅｓｓ×１６コネクター３２のＡ６５のピンは、前記第二ＰＣＩ  Ｅｘｐｒｅｓｓ×１６コネクター４２のＡ６５のピンに接続される関係）に基づいて、前記第一ＰＣＩ  Ｅｘｐｒｅｓｓ×１６コネクター３２のＡ６５のピンの信号は、前記第二ＰＣＩ  Ｅｘｐｒｅｓｓ×１６コネクター４２のＡ６５のピンに送信され、他のピンの信号送信関係は、同様である。
【００３７】
前記第二ＰＣＩ  Ｅｘｐｒｅｓｓ×１６コネクター４２のＡ１〜Ａ４９及びＢ１〜Ｂ４９のピンは、チップセットの８レーン内の信号を受信し、前記第一ＰＣＩ  Ｅｘｐｒｅｓｓ×１６コネクター３２のＡ３３〜Ａ４９及びＢ３３〜Ｂ４９のピンは、チップセットの４レーン内の信号を受信してから前記ジャンパーボード２２によって前記第一ＰＣＩ  Ｅｘｐｒｅｓｓ×１６コネクター３２のＡ６５、Ａ６７〜Ａ８２及びＢ６６〜Ｂ８２のピンに送信し、前記第二ＰＣＩ  Ｅｘｐｒｅｓｓ×１６コネクター４２のＡ６５、Ａ６７〜Ａ８２及びＢ６６〜Ｂ８２のピンは、前記第一ＰＣＩ  Ｅｘｐｒｅｓｓ×１６コネクター３０のＡ６５、Ａ６７〜Ａ８２及びＢ６６〜Ｂ８２のピンに接続されてチップセットからの信号を受信するので、前記第二ＰＣＩ  Ｅｘｐｒｅｓｓ×１６コネクター４２に差し込まれるＰＣＩ  Ｅｘｐｒｅｓｓ×１６外部接続カード５５は、１２レーンによってチップセットと通信することができ、即ちその帯域幅を１．５倍に高める。前記第一ＰＣＩ  Ｅｘｐｒｅｓｓ×１６コネクター３２のＡ１〜Ａ３２及びＢ１〜Ｂ３２のピンは、依然として前記チップセットからの信号を正常に受信し、即ち前記第一ＰＣＩ  Ｅｘｐｒｅｓｓ×１６コネクター３２にＰＣＩ  Ｅｘｐｒｅｓｓ×４外部接続カード５２が差し込まれても、前記第一ＰＣＩ  Ｅｘｐｒｅｓｓ×１６コネクター３２は依然として正常に作動する。
【００３８】
前記第一ＰＣＩ  Ｅｘｐｒｅｓｓ×１６コネクター３２のピンの信号が前記前記第二ＰＣＩ  Ｅｘｐｒｅｓｓ×１６コネクター４２の対応するピンに送信されれば、前記ジャンパーボード２２のピンの間の接続関係は、表２の接続方法に限定されるものではない。
【００３９】
前記第一実施形態及び前記第二実施形態に基づいて、その発明の属する技術の分野における通常の知識を有する者は、他の実施形態において、前記第一ＰＣＩ  Ｅｘｐｒｅｓｓ×１６コネクター３２がチップセットの７レーン内の信号を前記第二ＰＣＩ  Ｅｘｐｒｅｓｓ×１６コネクター４２に受信する（前記第一ＰＣＩ  Ｅｘｐｒｅｓｓ×１６コネクター３２のＡ１９〜Ａ４９のピンの信号を前記第二ＰＣＩ  Ｅｘｐｒｅｓｓ×１６コネクター４２のＡ１９〜Ａ４９のピンに送信し、前記第一ＰＣＩ  Ｅｘｐｒｅｓｓ×１６コネクター３２のＢ１９〜Ｂ４９のピンの信号を前記第二ＰＣＩ  Ｅｘｐｒｅｓｓ×１６コネクター４２のＢ１９〜Ｂ４９のピンに送信する）ことができることを容易に想到することができ、このように前記第二ＰＣＩ  Ｅｘｐｒｅｓｓ×１６コネクター４２に差し込まれたＰＣＩ  Ｅｘｐｒｅｓｓ×１６外部接続カードは１５レーンによってチップセットと通信することができ、即ちその帯域幅を約２倍に高める。この時、前記第一ＰＣＩ  Ｅｘｐｒｅｓｓ×１６コネクター３２のＡ１〜Ａ１８及びＢ１〜Ｂ１８のピンは、依然としてチップセットからの信号を正常に受信し、即ち前記第一ＰＣＩ  Ｅｘｐｒｅｓｓ×１６コネクター３２にＰＣＩ  Ｅｘｐｒｅｓｓ×１外部接続カードを差し込んでも、前記第一ＰＣＩ  Ｅｘｐｒｅｓｓ×１６コネクター３２は依然として正常に作動することができる。当然ながら、この時にジャンパーボードの構造も対応して改変されることを必要とする。
【００４０】
図７及び図８を参照すると、前記ジャンパーボード２２を便利に抜き出し、且つ前記ジャンパーボード２２を前記第一ＰＣＩ  Ｅｘｐｒｅｓｓ×１６コネクター３２に差し込む時に方向を間違えることを防止するために、前記ジャンパーボード２２には、フールプルーフ装置及び抜取装置が設置される。
【００４１】
前記フールプルーフ装置は、前記ジャンパーボード２２の対向する両側に設置される第一フールプルーフ部材２３０及び第二フールプルーフ部材２４０を備え、前記第一フールプルーフ部材２３０の底部及び前記第二フールプルーフ部材２４０の底部から前記ジャンパーボード２２の金メッキ端子が設置されている側辺までの距離は異なる。前記第一フールプルーフ部材２３０は、２つの挟持部２３００、２３０２及び２つの前記挟持部２３００、２３０２の上端部の一側を接続する接続部２３０５を備える。２つの前記挟持部２３００、２３０２には、１つの円孔が同一の軸線を有するようにそれぞれに設けられ、１つの固定柱２３０６は２つの前記挟持部２３００、２３０２の２つの円孔を貫通する。前記第二フールプルーフ部材２４０は、２つの挟持部２４００、２４０２及び２つの前記挟持部２４００、２４０２の下端部を接続する接続部２４０５を備える。２つの前記挟持部２４００、２４０２には、２つの円孔がそれぞれに設けられ、２つの固定柱２４０６、２４０８は２つの前記挟持部２４００、２４０２の４つの円孔を貫通する。
【００４２】
前記ジャンパーボード２２の長手方向端部である第一端には、円孔２２６及び切欠口が設けられ、前記ジャンパーボード２２の長手方向端部である第二端には、２つの円孔２２３及び２２５が設けられる。前記ジャンパーボード２２の金メッキ端子が設置されていない片側には、２つのスロット２２７及び２２８が互いに離間して且つ長手方向に延在して設けられる。
【００４３】
前記抜取装置は、２つの抜取シート２２９を備える。２つの前記抜取シート２２９の一端は、それぞれ２つの前記スロット２２７及び２２８に挿入されてから中空の円柱体を形成するように曲げられており、２つの前記抜取シート２２９が前記ジャンパーボード２２の２つの前記スロット２２７及び２２８に固定される。
【００４４】
組み立てる場合、前記固定柱２３０６が前記第一フールプルーフ部材２３０の挟持部２３００の円孔、前記ジャンパーボード２２の第一端の円孔２２６及び前記第一フールプルーフ部材２３０の挟持部２３０２の円孔を順次に貫通して、前記第一フールプルーフ部材２３０を前記ジャンパーボード２２の第一端に固定する。同じ方法によって前記第二フールプルーフ部材２４０を前記ジャンパーボード２２の第二端に固定する。
【００４５】
前記第一フールプルーフ部材２３０及び前記第二フールプルーフ部材２４０は異なる構造を有するので、前記第二フールプルーフ部材２４０が前記第一ＰＣＩ  Ｅｘｐｒｅｓｓ×１６コネクター３２の長手方向端部に位置し、前記第一フールプルーフ部材２３０が前記第一ＰＣＩ  Ｅｘｐｒｅｓｓ×１６コネクター３２の長手方向中間部に位置する場合、前記ジャンパーボード２２を前記第一ＰＣＩ  Ｅｘｐｒｅｓｓ×１６コネクター３２に差し込むことができ（図９を参照）、このようにフールプルーフの目的を達成する。前記ジャンパーボード２２を抜き出す場合、２つの前記抜取シート２２９を上に向かって引っ張ると、前記ジャンパーボード２２を抜き出すことができる。前記第一フールプルーフ部材２３０の挟持部２３００と挟持部２３０２との間には隙間が形成されているので、前記ジャンパーボード２２が前記第一ＰＣＩ  Ｅｘｐｒｅｓｓ×１６コネクター３２に差し込まれても、依然として外部接続カードを前記第一ＰＣＩ  Ｅｘｐｒｅｓｓ×１６コネクター３２に差し込むことができる。
【００４６】
図１０を参照すると、本発明の第三実施形態に係るコネクターアセンブリは、サーバーのマザーボードに使用され、前記コネクターアセンブリは、第一ＰＣＩ  Ｅｘｐｒｅｓｓ×１６コネクター３５、第二ＰＣＩ  Ｅｘｐｒｅｓｓ×１６コネクター４５、第三ＰＣＩ  Ｅｘｐｒｅｓｓ×１６コネクター４６、第四ＰＣＩ  Ｅｘｐｒｅｓｓ×１６コネクター４７、ＰＣＩ  Ｅｘｐｒｅｓｓ×８コネクター４９、拡張ボード２５及びジャンパーボード２６を備える。前記第一ＰＣＩ  Ｅｘｐｒｅｓｓ×１６コネクター３５は、マザーボードに設置され、前記第二ＰＣＩ  Ｅｘｐｒｅｓｓ×１６コネクター４５及び前記ＰＣＩ  Ｅｘｐｒｅｓｓ×８コネクター４９は、前記マザーボードにおいて前記第一ＰＣＩ  Ｅｘｐｒｅｓｓ×１６コネクター３５に平行となるように１つの直線に設置され、前記第三ＰＣＩ  Ｅｘｐｒｅｓｓ×１６コネクター４６及び第四ＰＣＩ  Ｅｘｐｒｅｓｓ×１６コネクター４７は、前記拡張ボード２５に設置される。
【００４７】
本実施形態において、チップセットに設けられた最大レーン数が１６であると、前記第一ＰＣＩ  Ｅｘｐｒｅｓｓ×１６コネクター３５が８レーンを占用し、前記第二ＰＣＩ  Ｅｘｐｒｅｓｓ×１６コネクター４５が８レーンを占用し、前記ＰＣＩ  Ｅｘｐｒｅｓｓ×８コネクター４９はレーンを占用しない。前記第一ＰＣＩ  Ｅｘｐｒｅｓｓ×１６コネクター３５のＡ１〜Ａ４９及びＢ１〜Ｂ４９のピンは、前記ＰＣＩ  Ｅｘｐｒｅｓｓ×８コネクター４９のＡ１〜Ａ４９及びＢ１〜Ｂ４９のピンに対応して接続され、即ち前記ＰＣＩ  Ｅｘｐｒｅｓｓ×８コネクター４９のＡ１〜Ａ４９及びＢ１〜Ｂ４９のピンは、前記第一ＰＣＩ  Ｅｘｐｒｅｓｓ×１６コネクター３５のＡ１〜Ａ４９及びＢ１〜Ｂ４９のピンが受信したチップセットからの信号を受信する。前記拡張ボード２５は、前記マザーボードに差し込まれる外部接続カードの方向を前記マザーボードに垂直となる方向から前記マザーボードに平行となる方向に改変して、ホストコンピュータのケース内で使用する空間を低減する。使用する時、前記拡張ボード２５の金メッキ端子は、前記第二ＰＣＩ  Ｅｘｐｒｅｓｓ×１６コネクター４５及び前記ＰＣＩ  Ｅｘｐｒｅｓｓ×８コネクター４９に差し込まれ、即ち前記第二ＰＣＩ  Ｅｘｐｒｅｓｓ×１６コネクター４５の８レーンの信号を前記拡張ボード２５に設置された前記第三ＰＣＩ  Ｅｘｐｒｅｓｓ×１６コネクター４６に送信し、前記ＰＣＩ  Ｅｘｐｒｅｓｓ×８コネクター４９の８レーンの信号を前記拡張ボード２５に設置された前記第四ＰＣＩ  Ｅｘｐｒｅｓｓ×１６コネクター４７に送信する。
【００４８】
前記ジャンパーボード２６は、電気回路基板であり、その構造は前記第一実施形態における前記ジャンパーボード２０又は前記第二実施形態における前記ジャンパーボード２２と同じである。前記ジャンパーボード２６の構造が前記ジャンパーボード２０の構造と同じである場合、前記第四ＰＣＩ  Ｅｘｐｒｅｓｓ×１６コネクター４７と前記第三ＰＣＩ  Ｅｘｐｒｅｓｓ×１６コネクター４６との接続関係は、前記第一実施形態における前記第一ＰＣＩ  Ｅｘｐｒｅｓｓ×１６コネクター３０と前記第二ＰＣＩ  Ｅｘｐｒｅｓｓ×１６コネクター４０との接続関係と同じである。この時、前記ジャンパーボード２６は、前記第四ＰＣＩ  Ｅｘｐｒｅｓｓ×１６コネクター４７に差し込まれ、前記第三ＰＣＩ  Ｅｘｐｒｅｓｓ×１６コネクター４６が１６レーンを占用するようにして、前記第三ＰＣＩ  Ｅｘｐｒｅｓｓ×１６コネクター４６に差し込まれるＰＣＩ  Ｅｘｐｒｅｓｓ×１６外部接続カードがチップセットと通信する際の帯域幅を高める。その原理は前記第一実施形態と完全に同じであるので、詳しい説明を省略する。
【００４９】
前記ジャンパーボード２６の構造が前記ジャンパーボード２２の構造と同じである場合、前記第四ＰＣＩ  Ｅｘｐｒｅｓｓ×１６コネクター４７と前記第三ＰＣＩ  Ｅｘｐｒｅｓｓ×１６コネクター４６との接続関係は、前記第二実施形態における前記第一ＰＣＩ  Ｅｘｐｒｅｓｓ×１６コネクター３２と前記第二ＰＣＩ  Ｅｘｐｒｅｓｓ×１６コネクター４２との接続関係と類似する。この時、前記ジャンパーボード２６は、前記第四ＰＣＩ  Ｅｘｐｒｅｓｓ×１６コネクター４７に差し込まれ、前記第三ＰＣＩ  Ｅｘｐｒｅｓｓ×１６コネクター４６が１２レーンを占用するようにして、前記第三ＰＣＩ  Ｅｘｐｒｅｓｓ×１６コネクター４６に差し込まれるＰＣＩ  Ｅｘｐｒｅｓｓ×１６外部接続カードがチップセットと通信する際の帯域幅を高める。この時、前記第四ＰＣＩ  Ｅｘｐｒｅｓｓ×１６コネクター４７に同時にＰＣＩ  Ｅｘｐｒｅｓｓ×４外部接続カードを差し込むことができる。その原理は前記第二実施形態と完全に同じであるので、詳しい説明を省略する。
【００５０】
図１１を参照すると、本発明の第四実施形態に係るコネクターアセンブリは、サーバーのマザーボードに使用され、前記コネクターアセンブリは、第一ＰＣＩ  Ｅｘｐｒｅｓｓ×１６コネクター３００、第二ＰＣＩ  Ｅｘｐｒｅｓｓ×１６コネクター３０２、第三ＰＣＩ  Ｅｘｐｒｅｓｓ×１６コネクター３０５、ジャンパーボード２５２及び拡張ボード２５５を備える。前記第一ＰＣＩ  Ｅｘｐｒｅｓｓ×１６コネクター３００及び前記第二ＰＣＩ  Ｅｘｐｒｅｓｓ×１６コネクター３０２は、マザーボードに設置される。前記第一ＰＣＩ  Ｅｘｐｒｅｓｓ×１６コネクター３００及び前記第二ＰＣＩ  Ｅｘｐｒｅｓｓ×１６コネクター３０２は、それぞれチップセットの８レーンを占用する。
【００５１】
前記第一ＰＣＩ  Ｅｘｐｒｅｓｓ×１６コネクター３００と前記第二ＰＣＩ  Ｅｘｐｒｅｓｓ×１６コネクター３０２との接続関係は、前記第一実施形態における前記第一ＰＣＩ  Ｅｘｐｒｅｓｓ×１６コネクター３０と前記第二ＰＣＩ  Ｅｘｐｒｅｓｓ×１６コネクター４０との接続関係と同じである。前記ジャンパーボード２５２の構造及びその金メッキ端子の間の接続関係は、前記第一実施形態における前記ジャンパーボード２０と同じである。
【００５２】
前記第三ＰＣＩ  Ｅｘｐｒｅｓｓ×１６コネクター３０５は、前記拡張ボード２５５に設置される。前記ジャンパーボード２５２は、前記第一ＰＣＩ  Ｅｘｐｒｅｓｓ×１６コネクター３００に差し込まれて、前記第一ＰＣＩ  Ｅｘｐｒｅｓｓ×１６コネクター３００が受信したチップセットの８レーン内の信号を前記第二ＰＣＩ  Ｅｘｐｒｅｓｓ×１６コネクター３０２に送信して、前記第二ＰＣＩ  Ｅｘｐｒｅｓｓ×１６コネクター３０２がチップセットの１６レーン内の信号を受信するようにする。前記拡張ボード２５５は、前記第二ＰＣＩ  Ｅｘｐｒｅｓｓ×１６コネクター３０２に差し込まれて、前記第二ＰＣＩ  Ｅｘｐｒｅｓｓ×１６コネクター３０２が受信するチップセットの１６レーンの信号を前記第三ＰＣＩ  Ｅｘｐｒｅｓｓ×１６コネクター３０５に送信して、前記第三ＰＣＩ  Ｅｘｐｒｅｓｓ×１６コネクター３０５に差し込まれるＰＣＩ  Ｅｘｐｒｅｓｓ×１６外部接続カードは、１６レーンによってチップセットと通信することができる。
【００５３】
前記ジャンパーボード２５２の構造及び金メッキ端子の間の接続関係は、前記第二実施形態における前記ジャンパーボード２２と同じであることもできる。この時、前記ジャンパーボード２５２を前記第一ＰＣＩ  Ｅｘｐｒｅｓｓ×１６コネクター３００に差し込み、前記拡張ボード２５５を前記第二ＰＣＩ  Ｅｘｐｒｅｓｓ×１６コネクター３０２に差し込むと、前記第三ＰＣＩ  Ｅｘｐｒｅｓｓ×１６コネクター３０５に差し込まれるＰＣＩ  Ｅｘｐｒｅｓｓ×１６外部接続カードは、１２レーンによってチップセットと通信することができ、前記第一ＰＣＩ  Ｅｘｐｒｅｓｓ×１６コネクター３００にＰＣＩ  Ｅｘｐｒｅｓｓ×４外部接続カードを同時に差し込んでも、依然として正常に作動することができる。
【００５４】
図１２を参照すると、本発明の第五実施形態に係るコネクターアセンブリは、第一ＰＣＩ  Ｅｘｐｒｅｓｓ×１６コネクター（図示せず）、第二ＰＣＩ  Ｅｘｐｒｅｓｓ×１６コネクター４２０、第三ＰＣＩ  Ｅｘｐｒｅｓｓ×１６コネクター４６０、前記第一ＰＣＩ  Ｅｘｐｒｅｓｓ×１６コネクターに差し込まれる拡張ボード２５０及び前記第二ＰＣＩ  Ｅｘｐｒｅｓｓ×１６コネクター４２０に差し込まれるジャンパーボード２６０を備える。前記第一ＰＣＩ  Ｅｘｐｒｅｓｓ×１６コネクターは、マザーボードに設置され且つチップセットの１６レーンを占用する。前記第二ＰＣＩ  Ｅｘｐｒｅｓｓ×１６コネクター４２０及び前記第三ＰＣＩ  Ｅｘｐｒｅｓｓ×１６コネクター４６０は、全て前記拡張ボード２５０に設置される。前記拡張ボード２５０は電気回路基板を備え、その一端には複数の金メッキ端子が設置され、前記拡張ボード２５０は、前記第一ＰＣＩ  Ｅｘｐｒｅｓｓコネクターが受信したチップセットからの信号を前記第二ＰＣＩ  Ｅｘｐｒｅｓｓ×１６コネクター４２０の第一組ピン及び前記第三ＰＣＩ  Ｅｘｐｒｅｓｓ×１６コネクター４６０の第一組ピンに送信する。
【００５５】
前記ジャンパーボード２６０の構造は、前記第一実施形態における前記ジャンパーボード２０の構造又は前記第二実施形態における前記ジャンパーボード２２の構造と同じであるので、詳しい説明を省略する。
【００５６】
前記第一実施形態のように、前記ジャンパーボード２６０を前記第二ＰＣＩ  Ｅｘｐｒｅｓｓ×１６コネクター４２０に差し込む場合、前記第三ＰＣＩ  Ｅｘｐｒｅｓｓ×１６コネクター４６０に差し込まれるＰＣＩ  Ｅｘｐｒｅｓｓ×１６外部接続カード４６２は、１６レーンによってチップセットと通信することができ、即ちその帯域幅を２倍に高める。前記第二実施形態のように、前記ジャンパーボード２６０を前記第二ＰＣＩ  Ｅｘｐｒｅｓｓ×１６コネクター４２０に差し込む場合、前記第三ＰＣＩ  Ｅｘｐｒｅｓｓ×１６コネクター４６０に差し込まれるＰＣＩ  Ｅｘｐｒｅｓｓ×１６外部接続カード４６２は、１２レーンによってチップセットと通信することができ、即ちその帯域幅を１．５倍に高める。
【００５７】
前記ジャンパーボード２０、２２、２６又は２６０は、ＰＣＩ  Ｅｘｐｒｅｓｓ×４、ＰＣＩ  Ｅｘｐｒｅｓｓ×８又はＰＣＩ  Ｅｘｐｒｅｓｓ×１６などの外部接続カードとともに同じ電気回路基板に統合して、補助カードを形成することができる。図１３を参照すると、ＰＣＩ  Ｅｘｐｒｅｓｓ×４外部接続カードと前記ジャンパーボード２２とを統合した補助カード２８において、符号Ｐ部分のピンは、ＰＣＩ  Ｅｘｐｒｅｓｓ×４外部接続カードのピンと同じであり、符号Ｑ部分のピンは、前記第二実施形態における前記ジャンパーボード２２のピンと同じである。このように前記ジャンパーボード２２を単独で使用することを減少し、使用に便利であり、且つ前記ジャンパーボード２２を単独で製造することに比べて、前記ジャンパーボード２２とＰＣＩ  Ｅｘｐｒｅｓｓ×４外部接続カードとを前記補助カード２８に統合することにより、コストを下げることができる。前記ジャンパーボード２０、２６又は２６０と、外部接続カードと、を同じ電気回路基板に統合する原理は、前記ジャンパーボード２２とＰＣＩ  Ｅｘｐｒｅｓｓ×４外部接続カードとを同じ補助カード２８に統合する原理と同じであり、同様に前記ジャンパーボード２０、２２、２６又は２６０と、ＰＣＩ  Ｅｘｐｒｅｓｓ×８又はＰＣＩ  Ｅｘｐｒｅｓｓ×１６と、などの外部接続カードを同じ補助カードに統合する原理とも同じであるので、詳しい説明を省略する。
【００５８】
他の実施形態において、２つのジャンパーボードを別々に２つのＰＣＩ  Ｅｘｐｒｅｓｓ×８コネクターに差し込んで、２つの前記ＰＣＩ  Ｅｘｐｒｅｓｓ×８コネクターは自分が受信するチップセットの４レーン内の信号を他のＰＣＩ  Ｅｘｐｒｅｓｓ×１６コネクターにそれぞれ送信して、前記ＰＣＩ  Ｅｘｐｒｅｓｓ×１６コネクターがチップセットの１６レーン内の信号を受信する（前記ＰＣＩ  Ｅｘｐｒｅｓｓ×１６コネクターは、チップセット８レーン内の信号を受信するとともに、２つの前記ＰＣＩ  Ｅｘｐｒｅｓｓ×８コネクターからそれぞれ送信するチップセットの４レーン内の信号を受信する）ようにして、前記ＰＣＩ  Ｅｘｐｒｅｓｓ×１６コネクターに差し込まれるＰＣＩ  Ｅｘｐｒｅｓｓ×１６外部接続カードは、１６レーンによってチップセットと通信することができる。又、１つのジャンパーボードをＰＣＩ  Ｅｘｐｒｅｓｓ×１６コネクターに差し込んで、前記ＰＣＩ  Ｅｘｐｒｅｓｓ×１６コネクターが受信するチップセットの８レーン内の信号を２つのＰＣＩ  Ｅｘｐｒｅｓｓ×８コネクターに送信して、２つの前記ＰＣＩ  Ｅｘｐｒｅｓｓ×８コネクターはそれぞれチップセットの８レーン内の信号を受信することができる。
【００５９】
上述したように、上述の実施形態は同様に拡張ボードを含む場合にも適用し、その原理は上述の実施形態と同じであり、即ち第一ＰＣＩ  Ｅｘｐｒｅｓｓコネクター〜第四ＰＣＩ  Ｅｘｐｒｅｓｓコネクター、第一ジャンパーボード〜第二ジャンパーボード及び拡張ボードを備える。前記第一ＰＣＩ  Ｅｘｐｒｅｓｓコネクターは電気回路基板に設置され、前記第一ＰＣＩ  Ｅｘｐｒｅｓｓコネクターは、チップセットに接続されてチップセットからの信号を受信する。前記拡張ボードは前記第一ＰＣＩ  Ｅｘｐｒｅｓｓコネクターに差し込まれて、前記拡張ボードの電気回路基板の一端に設置される第一組金メッキ端子、第二組金メッキ端子及び第三組金メッキ端子は、前記第一ＰＣＩ  Ｅｘｐｒｅｓｓコネクターのピンに電気的に接続される。前記第二ＰＣＩ  Ｅｘｐｒｅｓｓコネクター、前記第三ＰＣＩ  Ｅｘｐｒｅｓｓコネクター及び前記第四ＰＣＩ  Ｅｘｐｒｅｓｓコネクターは、全て拡張ボードに設置され、且つ前記第二ＰＣＩ  Ｅｘｐｒｅｓｓコネクターの第一組ピンは、前記拡張ボードの第一組金メッキ端子に対応して電気的に接続され、前記第三ＰＣＩ  Ｅｘｐｒｅｓｓコネクターの第一組ピンは、前記拡張ボードの第二組金メッキ端子に対応して電気的に接続され、前記第四ＰＣＩ  Ｅｘｐｒｅｓｓコネクターの第一組ピンは、前記拡張ボードの第三組金メッキ端子に対応して電気的に接続され、前記第二ＰＣＩ  Ｅｘｐｒｅｓｓコネクター〜前記第四ＰＣＩ  Ｅｘｐｒｅｓｓコネクターの第一組ピンは、前記第一ＰＣＩ  Ｅｘｐｒｅｓｓコネクターが受信したチップセットからの信号を受信するために用いられ、前記第二ＰＣＩ  Ｅｘｐｒｅｓｓコネクターの第二組ピンは、前記第四ＰＣＩ  Ｅｘｐｒｅｓｓコネクターの第二組ピンに接続され、前記第三ＰＣＩ  Ｅｘｐｒｅｓｓコネクターの第二組ピンは、前記第四ＰＣＩ  Ｅｘｐｒｅｓｓコネクターの第三組ピンに接続される。前記第一ジャンパーボード及び前記第二ジャンパーボードの電気回路基板の一端には、全て第一組金メッキ端子及び第二組金メッキ端子が設置され、前記第一組金メッキ端子は、前記第二組金メッキ端子に対応して電気的に接続される。前記第一ジャンパーボードは、前記第二ＰＣＩ  Ｅｘｐｒｅｓｓコネクターに差し込まれ、前記第一ジャンパーボードの第一組金メッキ端子は、前記第二ＰＣＩ  Ｅｘｐｒｅｓｓコネクターの第一組ピンに電気的に接続され、前記第一ジャンパーボードの第二組金メッキ端子は、前記第二ＰＣＩ  Ｅｘｐｒｅｓｓコネクターの第二組ピンに電気的に接続される。前記第二ジャンパーボードの第一組金メッキ端子は、前記第三ＰＣＩ  Ｅｘｐｒｅｓｓコネクターの第一組ピンに電気的に接続され、前記第二ジャンパーボードの第二組金メッキ端子は、前記第三ＰＣＩ  Ｅｘｐｒｅｓｓコネクターの第二組ピンに電気的に接続される。前記第二ＰＣＩ  Ｅｘｐｒｅｓｓコネクターの第一組ピンの信号は、前記第一ジャンパーボードによって前記第二ＰＣＩ  Ｅｘｐｒｅｓｓコネクターの第二組ピンに送信されてから、前記第四ＰＣＩ  Ｅｘｐｒｅｓｓコネクターの第二組ピンに送信される。前記第三ＰＣＩ  Ｅｘｐｒｅｓｓコネクターの第一組ピンの信号は、前記第二ジャンパーボードによって前記第三ＰＣＩ  Ｅｘｐ��ｅｓｓコネクターの第二組ピンに送信されてから、前記第四ＰＣＩ  Ｅｘｐｒｅｓｓコネクターの第三組ピンに送信される。
【００６０】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００６１】
１０  マザーボード
２０，２２，２６，２５２，２６０  ジャンパーボード
２５，２５５，２５０  拡張ボード
２８  補助カード
３０，３２，３５，４０，４２，４５，４６，４７，３００，３０２，３０５，４２０，４６０  ＰＣＩ  Ｅｘｐｒｅｓｓ×１６コネクター
４９  ＰＣＩ  Ｅｘｐｒｅｓｓ×８コネクター
５０，５２，５５，４６２  外部接続カード
２２３，２２５，２２６  円孔
２２７，２２８  スロット
２２９  抜取シート
２３０  第一フールプルーフ部材
２４０  第二フールプルーフ部材
２３００，２３０２，２４００，２４０２  挟持部
２３０５，２４０５  接続部
２３０６，２４０６，２４０８  固定柱
【図１】
2013025796.tif 000005
【図２】
2013025796.tif 000006
【図３】
2013025796.tif 000007
【図４】
2013025796.tif 000008
【図５】
2013025796.tif 000009
【図６】
2013025796.tif 000010
【図７】
2013025796.tif 000011
【図８】
2013025796.tif 000012
【図９】
2013025796.tif 000013
【図１０】
2013025796.tif 000014
【図１１】
2013025796.tif 000015
【図１２】
2013025796.tif 000016
【図１３】
2013025796.tif 000017